(57)【要約】【課題】  画像データが構成する画像のサイズが画像出力装置の出力サイズに収まらない場合に、算出される縮小率の方が使用者が許容する縮小率より大きい場合に、算出された縮小率で画像を縮小し、校正用のカラープルーフとして使用可能な画像を出力すること。【解決手段】  使用者が許容する縮小率を予め保存し、画像データが構成する画像のサイズが画像出力装置の出力サイズに収まらないと判定した場合に、画像データが構成する画像を画像出力装置の出力サイズに収めるように縮小率を算出し、算出された縮小率と使用者が許容する縮小率とを比較し、算出された縮小率の方が大きい場合には、算出された縮小率で画像を縮小して出力し、算出された縮小率が小さい場合には、例えば、使用者が許容する縮小率で画像を縮小して出力するように画像出力装置を制御する。【選択図】      図６
2005094639.tif 000002
【特許請求の範囲】
【請求項１】
画像出力媒体を備え、前記画像出力媒体に画像を出力する画像出力装置を含み、画像データを受け付け、前記画像出力装置から前記画像出力媒体に前記画像データが構成する画像を等倍または縮小して出力を行うことが可能な画像出力システムであって、
前記画像出力装置における前記画像出力媒体に出力可能な画像のサイズを記憶する出力サイズ記憶手段と、
使用者が許容する縮小率を保存する縮小率保存手段と、
前記受け付けた画像データが構成する画像のサイズと前記出力サイズ記憶手段に記憶された前記画像出力媒体に出力可能な画像のサイズを比較し、前記受け付けた画像データが構成する画像のサイズの方が大きい場合にサイズオーバーと判定するサイズ判定手段と、
前記サイズ判定手段によりサイズオーバーと判定された場合に、前記受け付けた画像データが構成する画像を前記出力サイズ記憶手段に記憶された前記画像出力媒体に出力可能な画像のサイズに収めるように縮小率を算出する縮小率算出手段と、
前記縮小率算出手段によって算出された縮小率と前記縮小率保存手段に保存された縮小率を比較し、前記縮小率の大小を判定する縮小率判定手段と、
前記縮小率判定手段により前記縮小率算出手段によって算出された縮小率の方が大きいと判定された場合には、前記画像出力装置から前記縮小率算出手段によって算出された縮小率で縮小された画像を前記画像出力媒体に出力する制御を行う画像出力制御手段と、を含むことを特徴とする画像出力システム。
【請求項２】
前記画像出力制御手段は、更に、前記縮小率判定手段により前記縮小率算出手段によって算出された縮小率の方が小さいと判定された場合には、前記画像出力装置から等倍の画像を前記画像出力媒体に出力する制御、前記画像出力装置から前記縮小率保存手段に保存された縮小率で縮小された画像を前記画像出力媒体に出力する制御、または、画像の出力を中止する制御のいずれかの制御を行う請求項１に記載の画像出力システム。
【請求項３】
画像を等倍で前記画像出力媒体に出力するのか、画像を前記縮小率保存手段に保存された縮小率で縮小して前記画像出力媒体に出力するのか、画像を前記出力サイズ記憶手段に記憶された前記画像出力媒体に出力可能な画像のサイズに収めるように算出される縮小率で縮小して前記画像出力媒体に出力するのか、または、画像の出力を中止するのかのうちの少なくとも２つについて選択的に入力するための第１の入力手段を更に含み、
前記画像出力制御手段は、更に、前記縮小率判定手段により前記縮小率算出手段によって算出された縮小率の方が小さいと判定された場合には、前記第１の入力手段により選択的になされた入力に基づいて、前記画像出力装置から等倍の画像を前記画像出力媒体に出力する制御、前記画像出力装置から前記縮小率保存手段に保存された縮小率で縮小された画像を前記画像出力媒体に出力する制御、前記画像出力装置から前記出力サイズ記憶手段に記憶された前記画像出力媒体に出力可能な画像のサイズに収めるように前記縮小率算出手段によって算出された縮小率で縮小された画像を前記画像出力媒体に出力する制御、または、画像の出力を中止する制御のいずれかの制御を行う請求項１に記載の画像出力システム。
【請求項４】
報知を行うための報知手段と、
前記縮小率判定手段により前記縮小率算出手段によって算出された縮小率の方が小さいと判定された場合に、その旨の報知を行うように前記報知手段を制御するとともに前記第１の入力手段からの前記入力を可能とするように制御する報知制御手段と、を更に含む請求項３に記載の画像出力システム。
【請求項５】
前記受け付けた画像データを、画像を等倍で前記画像出力媒体に出力するのか、画像を前記縮小率保存手段に保存された縮小率で縮小して前記画像出力媒体に出力するのか、画像を前記出力サイズ記憶手段に記憶された前記画像出力媒体に出力可能な画像のサイズに収めるように算出される縮小率で縮小して前記画像出力媒体に出力するのか、または、画像の出力を中止するのかの少なくとも２つについて選択的に記憶するための画像データ記憶手段を更に含み、
前記画像出力制御手段は、更に、前記縮小率判定手段により前記縮小率算出手段によって算出された縮小率の方が小さいと判定された場合には、前記選択的になされた記憶に基づいて、前記画像出力装置から等倍の画像を前記画像出力媒体に出力する制御、前記画像出力装置から前記縮小率保存手段に保存された縮小率で縮小された画像を前記画像出力媒体に出力する制御、前記画像出力装置から前記出力サイズ記憶手段に記憶された前記画像出力媒体に出力可能な画像のサイズに収めるように前記縮小率算出手段によって算出された縮小率で縮小された画像を前記画像出力媒体に出力する制御、または、画像の出力を中止する制御のいずれかの制御を行う請求項１に記載の画像出力システム。
【請求項６】
第１の画像出力媒体を備え、前記第１の画像出力媒体に画像を出力する第１の画像出力装置を含み、前記第１の画像出力装置とは異なる第２の画像出力装置であり前記第１の画像出力媒体よりも出力可能な画像のサイズが大きい第２の画像出力媒体を備える前記第２の画像出力装置における前記第２の画像出力媒体に出力可能な画像のサイズを上限とする画像データを受け付け、前記第１の画像出力装置から前記第１の画像出力媒体に前記画像データが構成する画像を等倍または縮小して出力を行うことが可能な画像出力システムであって、
前記第１の画像出力装置における前記第１の画像出力媒体に出力可能な画像のサイズを記憶する出力サイズ記憶手段と、
使用者が許容する縮小率を保存する縮小率保存手段と、
前記受け付けた画像データが構成する画像のサイズと前記出力サイズ記憶手段に記憶された前記第１の画像出力媒体に出力可能な画像のサイズを比較し、前記受け付けた画像データが構成する画像のサイズの方が大きい場合にサイズオーバーと判定するサイズ判定手段と、
前記サイズ判定手段によりサイズオーバーと判定された場合に、前記受け付けた画像データが構成する画像を前記出力サイズ記憶手段に記憶された前記第１の画像出力媒体に出力可能な画像のサイズに収めるように縮小率を算出する縮小率算出手段と、
前記縮小率算出手段によって算出された縮小率と前記縮小率保存手段に保存された縮小率を比較し、前記縮小率の大小を判定する縮小率判定手段と、
前記縮小率判定手段により前記縮小率算出手段によって算出された縮小率の方が大きいと判定された場合には、前記第１の画像出力装置から前記縮小率算出手段によって算出された縮小率で縮小された画像を前記第１の画像出力媒体に出力する制御を行う画像出力制御手段と、を含むことを特徴とする画像出力システム。
【請求項７】
第１の画像出力媒体を備え、前記第１の画像出力媒体に画像を出力する第１の画像出力装置を含み、前記第１の画像出力装置とは異なる第２の画像出力装置であり前記第１の画像出力媒体よりも出力可能な画像のサイズが大きい第２の画像出力媒体を備える前記第２の画像出力装置における前記第２の画像出力媒体に出力可能な画像のサイズを上限とし、且つ、外周部に余白が付された画像を構成する画像データを受け付け、前記第１の画像出力装置から前記第１の画像出力媒体に前記画像データが構成する画像を等倍または縮小して出力を行うことが可能な画像出力システムであって、
前記第１の画像出力装置における前記第１の画像出力媒体に出力可能な画像のサイズを記憶する出力サイズ記憶手段と、
使用者が許容する縮小率を保存する縮小率保存手段と、
前記受け付けた画像データが構成する画像の外周部に付された余白を削除した画像を構成するように前記受け付けた画像データを加工する画像加工手段と、
前記加工された画像データが構成する画像のサイズと前記出力サイズ記憶手段に記憶された前記第１の画像出力媒体に出力可能な画像のサイズを比較し、前記加工された画像データが構成する画像のサイズの方が大きい場合にサイズオーバーと判定するサイズ判定手段と、
前記サイズ判定手段によりサイズオーバーと判定された場合に、前記加工された画像データが構成する画像を前記出力サイズ記憶手段に記憶された前記第１の画像出力媒体に出力可能な画像のサイズに収めるように縮小率を算出する算出手段と、
前記縮小率算出手段によって算出された縮小率と前記縮小率保存手段に保存された縮小率を比較し、前記縮小率の大小を判定する縮小率判定手段と、
前記縮小率判定手段により前記縮小率算出手段によって算出された縮小率の方が大きいと判定された場合には、前記第１の画像出力装置から前記縮小率算出手段によって算出された縮小率で縮小された前記第１の画像出力媒体に出力する制御を行う画像出力制御手段と、を含むことを特徴とする画像出力システム。
【請求項８】
前記画像出力制御手段は、更に、前記縮小率判定手段により前記縮小率算出手段によって算出された縮小率の方が小さいと判定された場合には、前記第１の画像出力装置から等倍の画像を前記第１の画像出力媒体に出力する制御、前記第１の画像出力装置から前記縮小率保存手段に保存された縮小率で縮小された画像を前記第１の画像出力媒体に出力する制御、または、画像の出力を中止する制御のいずれかの制御を行う請求項６または請求項７に記載の画像出力システム。
【請求項９】
画像を等倍で前記第１の画像出力媒体に出力するのか、画像を前記縮小率保存手段に保存された縮小率で縮小して前記第１の画像出力媒体に出力するのか、画像を前記出力サイズ記憶手段に記憶された前記第１の画像出力媒体に出力可能な画像のサイズに収めるように算出される縮小率で縮小して前記第１の画像出力媒体に出力するのか、または、画像の出力を中止するのかのうち少なくとも２つから選択的に入力するための第１の入力手段を更に含み、
前記画像出力制御手段は、更に、前記縮小率判定手段により前記縮小率算出手段によって算出された縮小率の方が小さいと判定された場合には、前記第１の入力手段により選択的になされた入力に基づいて、前記第１の画像出力装置から等倍の画像を前記第１の画像出力媒体に出力する制御、前記第１の画像出力装置から前記縮小率保存手段に保存された縮小率で縮小された画像を前記第１の画像出力媒体に出力する制御、前記第１の画像出力装置から前記出力サイズ記憶手段に記憶された前記第１の画像出力媒体に出力可能な画像のサイズに収めるように前記縮小率算出手段によって算出された縮小率で縮小された画像を前記第１の画像出力媒体に出力する制御、または、画像の出力を中止する制御のいずれかの制御を行う請求項６または請求項７に記載の画像出力システム。
【請求項１０】
報知を行うための報知手段と、
前記縮小率判定手段により前記縮小率算出手段によって算出された縮小率の方が小さいと判定された場合に、その旨の報知を行うように前記報知手段を制御するとともに前記第１の入力手段からの前記入力を可能とするように制御する報知制御手段と、を更に含む請求項９に記載の画像出力システム。
【請求項１１】
前記受け付けた画像データを、画像を等倍で前記第１の画像出力媒体に出力するのか、画像を前記縮小率保存手段に保存された縮小率で縮小して前記第１の画像出力媒体に出力するのか、画像を前記出力サイズ記憶手段に記憶された前記第１の画像出力媒体に出力可能な画像のサイズに収めるように算出される縮小率で縮小して前記第１の画像出力媒体に出力するのか、または、画像の出力を中止するのかの少なくとも２つについて選択的に記憶するための画像データ記憶手段を更に含み、
前記画像出力制御手段は、更に、前記縮小率判定手段により前記縮小率算出手段によって算出された縮小率の方が小さいと判定された場合には、前記選択的になされた記憶に基づいて、前記第１の画像出力装置から等倍の画像を前記第１の画像出力媒体に出力する制御、前記第１の画像出力装置から前記縮小率保存手段に保存された縮小率で縮小された画像を前記第１の画像出力媒体に出力する制御、前記第１の画像出力装置から前記出力サイズ記憶手段に記憶された前記第１の画像出力媒体に出力可能な画像のサイズに収めるように前記縮小率算出手段によって算出された縮小率で縮小された画像を前記第１の画像出力媒体に出力する制御、または、画像の出力を中止する制御のいずれかの制御を行う請求項６または７に記載の画像出力システム。
【請求項１２】
前記第１の画像出力装置は、印刷物の校正に用いるカラープルーフを作成するためのものであり、
前記第２の画像出力装置は、印刷に用いる刷版を作成するためのものであり、
前記受け付ける画像データは、前記刷版の作成に用いるためのものである請求項６乃至請求項１１のいずれかに記載の画像出力システム。
【請求項１３】
前記使用者が許容する縮小率を入力するための第２の入力手段を更に含み、
前記保存手段は、前記第２の入力手段を用いた入力に基づいて、前記保存を行う請求項１乃至請求項１２のいずれかに記載の画像出力システム。
【請求項１４】
前記サイズ判定手段は、前記画像データが構成する画像のサイズと前記出力サイズ記憶手段に記憶された前記第１の画像出力媒体に出力可能な画像のサイズとの縦及び横をそれぞれ比較し、前記画像データが構成する画像のサイズの縦または横の少なくともいずれか一方が大きい場合に前記サイズオーバーと判定する請求項１乃至請求項１３のいずれかに記載の画像出力システム。
【請求項１５】
前記縮小率算出手段は、前記画像データが構成する画像のサイズの縦及び横のそれぞれに対する前記出力サイズ記憶手段に記憶された前記第１の画像出力媒体に出力可能な画像のサイズの縦及び横の比率を求め、小さい方の前記比率を縮小率とする請求項１乃至請求項１４のいずれかに記載の画像出力システム。
【請求項１６】
画像出力媒体を備え、前記画像出力媒体に画像を出力する画像出力装置を含み、画像データを受け付け、前記画像出力装置から前記画像出力媒体に前記画像データが構成する画像を等倍または縮小して出力を行うことが可能な画像出力システムにおける画像出力制御方法であって、
前記画像出力装置における前記画像出力媒体に出力可能な画像のサイズを記憶するステップと、
使用者が許容する縮小率を保存するステップと、
前記受け付けた画像データが構成する画像のサイズと前記記憶された前記画像出力媒体に出力可能な画像のサイズを比較し、前記受け付けた画像データが構成する画像のサイズの方が大きい場合にサイズオーバーと判定するステップと、
前記サイズオーバーと判定された場合に、前記受け付けた画像データが構成する画像を前記記憶された前記画像出力媒体に出力可能な画像のサイズに収めるように縮小率を算出するステップと、
前記算出された縮小率と前記保存された縮小率を比較し、前記縮小率の大小を判定するステップと、
前記算出された縮小率の方が大きいと判定された場合には、前記画像出力装置から前記算出された縮小率で縮小された画像を前記画像出力媒体に出力する制御を行うステップと、を含むことを特徴とする画像出力制御方法。
【請求項１７】
第１の画像出力媒体を備え、前記第１の画像出力媒体に画像を出力する第１の画像出力装置を含み、前記第１の画像出力装置とは異なる第２の画像出力装置であり前記第１の画像出力媒体よりも出力可能な画像のサイズが大きい第２の画像出力媒体を備える前記第２の画像出力装置における前記第２の画像出力媒体に出力可能な画像のサイズを上限とする画像データを受け付け、前記第１の画像出力装置から前記第１の画像出力媒体に前記画像データが構成する画像を等倍または縮小して出力を行うことが可能な画像出力システムにおける画像出力制御方法であって、
前記第１の画像出力装置における前記第１の画像出力媒体に出力可能な画像のサイズを記憶するステップと、
使用者が許容する縮小率を保存するステップと、
前記受け付けた画像データが構成する画像のサイズと前記記憶された前記第１の画像出力媒体に出力可能な画像のサイズを比較し、前記受け付けた画像データが構成する画像のサイズの方が大きい場合にサイズオーバーと判定するステップと、
前記サイズオーバーと判定された場合に、前記受け付けた画像データが構成する画像を前記記憶された前記第１の画像出力媒体に出力可能な画像のサイズに収めるように縮小率を算出するステップと、
前記算出された縮小率と前記保存された縮小率を比較し、前記縮小率の大小を判定するステップと、
前記算出された縮小率の方が大きいと判定された場合には、前記第１の画像出力装置から前記算出された縮小率で縮小された画像を前記第１の画像出力媒体に出力する制御を行うステップと、を含むことを特徴とする画像出力制御方法。
【請求項１８】
第１の画像出力媒体を備え、前記第１の画像出力媒体に画像を出力する第１の画像出力装置を含み、前記第１の画像出力装置とは異なる第２の画像出力装置であり前記第１の画像出力媒体よりも出力可能な画像のサイズが大きい第２の画像出力媒体を備える前記第２の画像出力装置における前記第２の画像出力媒体に出力可能な画像のサイズを上限とし、且つ、外周部に余白が付された画像を構成する画像データを受け付け、前記第１の画像出力装置から前記第１の画像出力媒体に前記画像データが構成する画像を等倍または縮小して出力を行うことが可能な画像出力システムにおける画像出力制御方法であって、
前記第１の画像出力装置における前記第１の画像出力媒体に出力可能な画像のサイズを記憶するステップと、
使用者が許容する縮小率を保存するステップと、
前記受け付けた画像データが構成する画像の外周部に付された余白を削除した画像を構成するように前記受け付けた画像データを加工するステップと、
前記加工された画像データが構成する画像のサイズと前記記憶された前記第１の画像出力媒体に出力可能な画像のサイズを比較し、前記加工された画像データが構成する画像のサイズの方が大きい場合にサイズオーバーと判定するステップと、
前記サイズオーバーと判定された場合に、前記加工された画像データが構成する画像を前記記憶された前記第１の画像出力媒体に出力可能な画像のサイズに収めるように縮小率を算出するステップと、
前記算出された縮小率と前記保存された縮小率を比較し、前記縮小率の大小を判定するステップと、
前記算出された縮小率の方が大きいと判定された場合には、前記第１の画像出力装置から前記算出された縮小率で縮小された画像を前記第１の画像出力媒体に出力する制御を行うステップと、を含むことを特徴とする画像出力制御方法。
【請求項１９】
第１の画像出力媒体を備え、前記第１の画像出力媒体に画像を出力する第１の画像出力装置を含み、前記第１の画像出力装置とは異なる第２の画像出力装置であり前記第１の画像出力媒体よりも出力可能な画像のサイズが大きい第２の画像出力媒体を備える前記第２の画像出力装置における前記第２の画像出力媒体に出力可能な画像のサイズを上限とし、且つ、外周部に余白が付された画像を構成する画像データを受け付け、前記第１の画像出力装置から前記第１の画像出力媒体に前記画像データが構成する画像を等倍または縮小して出力を行うことが可能な画像出力システムにおける画像出力制御方法であって、
前記第１の画像出力装置における前記第１の画像出力媒体に出力可能な画像のサイズを記憶するステップと、
使用者が許容する第１の縮小率を保存するステップと、
前記受け付けた画像データが構成する画像のサイズと前記記憶された前記第１の画像出力媒体に出力可能な画像のサイズを比較し、前記受け付けた画像データが構成する画像のサイズの方が大きい場合に第１のサイズオーバーと判定するステップと、
前記第１のサイズオーバーと判定された場合に、前記受け付けた画像データが構成する画像を前記記憶された前記第１の画像出力媒体に出力可能な画像のサイズに収めるように第２の縮小率を算出するステップと、
前記第２の縮小率と前記第１の縮小率を比較し、前記第１及び第２の縮小率の大小を判定するステップと、
前記第２の縮小率の方が小さいと判定された場合に、前記受け付けた画像データが構成する画像の外周部に付された余白を削除した画像を構成するように前記受け付けた画像データを加工するステップと、
前記加工された画像データが構成する画像のサイズと前記記憶された前記第１の画像出力媒体に出力可能な画像のサイズを比較し、前記加工された画像データが構成する画像のサイズの方が大きい場合に第２のサイズオーバーと判定するステップと、
前記第２のサイズオーバーと判定された場合に、前記加工された画像データが構成する画像を前記記憶された前記第１の画像出力媒体に出力可能な画像のサイズに収めるように第３の縮小率を算出するステップと、
前記第３の縮小率と前記第１の縮小率を比較し、前記第１及び第３の縮小率の大小を判定するステップと、
前記第３の縮小率の方が大きいと判定された場合には、前記第１の画像出力装置から前記第３の縮小率で縮小された画像を前記第１の画像出力媒体に出力する制御を行うステップと、を含むことを特徴とする画像出力制御方法。
【請求項２０】
請求項１６または請求項１９に記載の画像出力制御方法をコンピュータに実行させるためのプログラム。
【請求項２１】
請求項２０に記載のプログラムを前記コンピュータで読み取り可能に記録した記録媒体。
【発明の詳細な説明】
【技術分野】
【０００１】
本発明は、画像出力媒体を備え、前記画像出力媒体に画像出力を行う画像出力装置を含んで構成される画像出力システム、画像出力制御方法、その画像出力方法実行のためのプログラム、及び、プログラムを格納した記録媒体に関する。
【背景技術】
【０００２】
従来、印刷製版業界における画像出力システムは、図１６に示すように電子写真方式のカラーレーザプリンタ２（スキャナ、コピア、ファクシミリの各機能を併せ持ついわゆる複合機を含む）、ＣＴＰ（Ｃｏｍｐｕｔｅｒ  ｔｏ  Ｐｌａｔｅ）５及びＤＣＰ（Ｄｉｒｅｃｔ  Ｃｏｌｏｒ  Ｐｒｏｏｆ）７等の画像出力装置を含んで構成されていた。また、それぞれの画像出力装置のうち、カラーレーザプリンタ２はカンプ（コンプリヘンシブレイアウト；ｃｏｍｐｒｅｈｅｎｓｉｖｅ  ｌａｙｏｕｔ）の出力、ＣＴＰ５は印刷に用いる刷版の作成、ＤＣＰ７はＣＴＰ５で刷版を作成する前の校正用のカラープルーフの作成に主に用いられていた。
【０００３】
なお、カラープルーフ作成に用いる画像データは、ＣＴＰ５で使用する画像データを用いることが好ましい。それは、ＣＴＰ５で使用する画像データは、クライアント端末から送信されるポストスクリプト（登録商標）やＰＤＦ（Ｐｏｒｔａｂｌｅ  Ｄｏｃｕｍｅｎｔ  Ｆｏｒｍａｔ）等のページ記述言語で作成されたデータをＲＩＰ（Ｒａｓｔｅｒ  Ｉｍａｇｅ  Ｐｒｏｃｅｓｓｏｒ）４で解析処理しラスターデータ化もしくはアウトライン化したもので、それをＤＣＰ７で使用することにより、ＲＩＰ処理時間の短縮、及び、ＲＩＰの違いによる出力結果の相違を無くすためである。
【０００４】
また、ＣＴＰ５で使用する画像データは、一般的に小サイズ（例えば、Ａ４サイズ）の画像を面付けし、例えば、８つのＡ４サイズの画像を並べて面付けし、さらに、トンボ（多色印刷の場合に各色の位置（見当）を合わせたり、加工や仕上げの際に位置を合わせるための目印に引かれた線。）を付すための余白を外周部に付した１つの大サイズの画像を構成する画像データとしたものであることが多い。
【０００５】
一方、近年のカラーレーザプリンタの高画質化に伴い、安価かつ高速に高品位なカラー出力が可能になってきたことにより、ＤＣＰの用途、つまりカラープルーフの作成にカラーレーザプリンタを使用したいという要求が高まっている。ところが、現状ほとんどのカラーレーザプリンタが出力可能な画像のサイズ（以下、出力サイズ）は、最大でもＡ３ワイドサイズ（Ａ３にトンボ領域を付加したサイズ）であるため、上記のように面付けされた大サイズの画像を構成する画像データは、例えば大サイズの画像を分割して出力する、大サイズの画像の中央部のみを出力サイズで出力する、画像を縮小して出力するなどの必要がある。
【０００６】
また、出力サイズと画像データが構成する画像のサイズを比較して、画像データが構成する画像のサイズが大きい場合に、出力サイズと画像データが構成する画像のサイズの割合から縮小率を算出し、予め設定された縮小率と比較して最も近い縮小率を選択し、選択した縮小率で画像を縮小して出力を行うプリンタがある（例えば、特許文献１参照。）。
【０００７】
ここで、縮小率について述べる。以下、縮小率は、縮小された画像のサイズに対する元の画像のサイズの比率とし、例えばパーセント（％）で表す。また、縮小率の大小は、そのパーセントの値の大小によるものとし、例えば、縮小率９０％と縮小率６０％を比べた場合には、縮小率９０％の方が縮小率６０％より大きいとする。
【０００８】
ところが、特許文献１に記載のプリンタで、例えば、出力サイズがＡ３サイズ（２９７ｍｍ×４２０ｍｍ）で、縮小率が小さい方から大きい方に５０％から９９％の間の１％刻みで設定されているとする。このようなプリンタで、Ａ２サイズ（４２０ｍｍ×５９４ｍｍ）の画像を出力しようとすれば、縮小率を７１％として縮小して出力を行うことになり、また、Ａ１サイズ（５９４ｍｍ×８４１ｍｍ）の画像を出力しようとすれば、縮小率を５０％として縮小して出力を行うことになる。
【０００９】
【特許文献１】特開２００１−９４７５３号公報（段落〔００１１〕−〔００２６〕、図１乃至図５）
【発明の開示】
【発明が解決しようとする課題】
【００１０】
しかしながら、校正用のカラープルーフは、絵柄、色調、文章文字等の確認を行うためのものであるから、例えば上記の７１％に縮小して出力した画像は、カラープルーフとして使用できても、５０％に縮小して出力した画像では、例えば文字が細かくなりすぎてカラープルーフとして使用できない場合があり、５０％に縮小して出力した画像は無駄となる。
【００１１】
また、印刷現場によっては、例えば主に細かな文字を扱う現場では、７１％に縮小して出力した画像でもカラープルーフとして使用できず、例えば、縮小しても８０％までという場合もある。したがって、出力物を校正用のカラープルーフとして使用する場合には、出力サイズより大きい画像を使用者が許容する縮小率以上の縮小率で出力することが必要となる。
【００１２】
一方、ＣＴＰ５で使用する画像データには、上述の如く外周部に余白が付されているため、縮小され出力される画像の外周部にも余白が付されたままで、余白の内側に面付けされた画像が出力される。ところが、校正とはほとんど関係が無い余白は無駄であり、余白が出力される範囲にも面付けされた画像を出力したいという要求がある。
【００１３】
本発明は、上記課題を鑑みてなされたものであり、その目的とするところは、予め使用者が許容する縮小率を保存しておき、画像データが構成する画像のサイズが画像出力装置の出力サイズに収まらない場合に出力サイズに収めるように算出される縮小率と保存された縮小率の大小を判定し、少なくとも算出された縮小率の方が大きい場合に、算出された縮小率で縮小し出力することで、校正用のカラープルーフとして使用可能な画像を出力することが可能な画像出力システム、画像出力方法、その画像出力方法実行のためのプログラム、及び、プログラムを格納した記録媒体を提供することにある。
【００１４】
さらに、算出された縮小率の方が小さい場合には、使用者の選択に応じて、保存された縮小率で縮小し出力することや、等倍で出力することや、画像の出力を中止することや、或いは、算出された縮小率で縮小し出力することを可能とすることにある。
【００１５】
また、さらに、外周部に付された余白を削除することで、面付けされた画像をより大きくして出力することや、面付けされた画像の出力される範囲を広げて出力することを可能にすることにある。
【課題を解決するための手段】
【００１６】
上記目的を達成するために、請求項１記載の発明は、画像出力媒体を備え、前記画像出力媒体に画像を出力する画像出力装置を含み、画像データを受け付け、前記画像出力装置から前記画像出力媒体に前記画像データが構成する画像を等倍または縮小して出力を行うことが可能な画像出力システムであって、前記画像出力装置における前記画像出力媒体に出力可能な画像のサイズを記憶する出力サイズ記憶手段と、使用者が許容する縮小率を保存する縮小率保存手段と、前記受け付けた画像データが構成する画像のサイズと前記出力サイズ記憶手段に記憶された前記画像出力媒体に出力可能な画像のサイズを比較し、前記受け付けた画像データが構成する画像のサイズの方が大きい場合にサイズオーバーと判定するサイズ判定手段と、前記サイズ判定手段によりサイズオーバーと判定された場合に、前記受け付けた画像データが構成する画像を前記出力サイズ記憶手段に記憶された前記画像出力媒体に出力可能な画像のサイズに収めるように縮小率を算出する縮小率算出手段と、前記縮小率算出手段によって算出された縮小率と前記縮小率保存手段に保存された縮小率を比較し、前記縮小率の大小を判定する縮小率判定手段と、前記縮小率判定手段により前記縮小率算出手段によって算出された縮小率の方が大きいと判定された場合には、前記画像出力装置から前記縮小率算出手段によって算出された縮小率で縮小された画像を前記画像出力媒体に出力する制御を行う画像出力制御手段と、を含むことを特徴としている。
【００１７】
また、請求項２記載の発明は、前記画像出力制御手段は、更に、前記縮小率判定手段により前記縮小率算出手段によって算出された縮小率の方が小さいと判定された場合には、前記画像出力装置から等倍の画像を前記画像出力媒体に出力する制御、前記画像出力装置から前記縮小率保存手段に保存された縮小率で縮小された画像を前記画像出力媒体に出力する制御、または、画像の出力を中止する制御のいずれかの制御を行うことを特徴としている。
【００１８】
また、請求項３記載の発明は、画像を等倍で前記画像出力媒体に出力するのか、画像を前記縮小率保存手段に保存された縮小率で縮小して前記画像出力媒体に出力するのか、画像を前記出力サイズ記憶手段に記憶された前記画像出力媒体に出力可能な画像のサイズに収めるように算出される縮小率で縮小して前記画像出力媒体に出力するのか、または、画像の出力を中止するのかのうちの少なくとも２つについて選択的に入力するための第１の入力手段を更に含み、前記画像出力制御手段は、更に、前記縮小率判定手段により前記縮小率算出手段によって算出された縮小率の方が小さいと判定された場合には、前記第１の入力手段により選択的になされた入力に基づいて、前記画像出力装置から等倍の画像を前記画像出力媒体に出力する制御、前記画像出力装置から前記縮小率保存手段に保存された縮小率で縮小された画像を前記画像出力媒体に出力する制御、前記画像出力装置から前記出力サイズ記憶手段に記憶された前記画像出力媒体に出力可能な画像のサイズに収めるように前記縮小率算出手段によって算出された縮小率で縮小された画像を前記画像出力媒体に出力する制御、または、画像の出力を中止する制御のいずれかの制御を行うことを特徴としている。
【００１９】
また、請求項４記載の発明は、報知を行うための報知手段と、前記縮小率判定手段により前記縮小率算出手段によって算出された縮小率の方が小さいと判定された場合に、その旨の報知を行うように前記報知手段を制御するとともに前記第１の入力手段からの前記入力を可能とするように制御する報知制御手段と、を更に含むことを特徴としている。
【００２０】
また、請求項５記載の発明は、前記受け付けた画像データを、画像を等倍で前記画像出力媒体に出力するのか、画像を前記縮小率保存手段に保存された縮小率で縮小して前記画像出力媒体に出力するのか、画像を前記出力サイズ記憶手段に記憶された前記画像出力媒体に出力可能な画像のサイズに収めるように算出される縮小率で縮小して前記画像出力媒体に出力するのか、または、画像の出力を中止するのかの少なくとも２つについて選択的に記憶するための画像データ記憶手段を更に含み、前記画像出力制御手段は、更に、前記縮小率判定手段により前記縮小率算出手段によって算出された縮小率の方が小さいと判定された場合には、前記選択的になされた記憶に基づいて、前記画像出力装置から等倍の画像を前記画像出力媒体に出力する制御、前記画像出力装置から前記縮小率保存手段に保存された縮小率で縮小された画像を前記画像出力媒体に出力する制御、前記画像出力装置から前記出力サイズ記憶手段に記憶された前記画像出力媒体に出力可能な画像のサイズに収めるように前記縮小率算出手段によって算出された縮小率で縮小された画像を前記画像出力媒体に出力する制御、または、画像の出力を中止する制御のいずれかの制御を行うことを特徴としている。
【００２１】
また、請求項６記載の発明は、第１の画像出力媒体を備え、前記第１の画像出力媒体に画像を出力する第１の画像出力装置を含み、前記第１の画像出力装置とは異なる第２の画像出力装置であり前記第１の画像出力媒体よりも出力可能な画像のサイズが大きい第２の画像出力媒体を備える前記第２の画像出力装置における前記第２の画像出力媒体に出力可能な画像のサイズを上限とする画像データを受け付け、前記第１の画像出力装置から前記第１の画像出力媒体に前記画像データが構成する画像を等倍または縮小して出力を行うことが可能な画像出力システムであって、前記第１の画像出力装置における前記第１の画像出力媒体に出力可能な画像のサイズを記憶する出力サイズ記憶手段と、使用者が許容する縮小率を保存する縮小率保存手段と、前記受け付けた画像データが構成する画像のサイズと前記出力サイズ記憶手段に記憶された前記第１の画像出力媒体に出力可能な画像のサイズを比較し、前記受け付けた画像データが構成する画像のサイズの方が大きい場合にサイズオーバーと判定するサイズ判定手段と、前記サイズ判定手段によりサイズオーバーと判定された場合に、前記受け付けた画像データが構成する画像を前記出力サイズ記憶手段に記憶された前記第１の画像出力媒体に出力可能な画像のサイズに収めるように縮小率を算出する縮小率算出手段と、前記縮小率算出手段によって算出された縮小率と前記縮小率保存手段に保存された縮小率を比較し、前記縮小率の大小を判定する縮小率判定手段と、前記縮小率判定手段により前記縮小率算出手段によって算出された縮小率の方が大きいと判定された場合には、前記第１の画像出力装置から前記縮小率算出手段によって算出された縮小率で縮小された画像を前記第１の画像出力媒体に出力する制御を行う画像出力制御手段と、を含むことを特徴としている。
【００２２】
また、請求項７記載の発明は、第１の画像出力媒体を備え、前記第１の画像出力媒体に画像を出力する第１の画像出力装置を含み、前記第１の画像出力装置とは異なる第２の画像出力装置であり前記第１の画像出力媒体よりも出力可能な画像のサイズが大きい第２の画像出力媒体を備える前記第２の画像出力装置における前記第２の画像出力媒体に出力可能な画像のサイズを上限とし、且つ、外周部に余白が付された画像を構成する画像データを受け付け、前記第１の画像出力装置から前記第１の画像出力媒体に前記画像データが構成する画像を等倍または縮小して出力を行うことが可能な画像出力システムであって、前記第１の画像出力装置における前記第１の画像出力媒体に出力可能な画像のサイズを記憶する出力サイズ記憶手段と、使用者が許容する縮小率を保存する縮小率保存手段と、前記受け付けた画像データが構成する画像の外周部に付された余白を削除した画像を構成するように前記受け付けた画像データを加工する画像加工手段と、前記加工された画像データが構成する画像のサイズと前記出力サイズ記憶手段に記憶された前記第１の画像出力媒体に出力可能な画像のサイズを比較し、前記加工された画像データが構成する画像のサイズの方が大きい場合にサイズオーバーと判定するサイズ判定手段と、前記サイズ判定手段によりサイズオーバーと判定された場合に、前記加工された画像データが構成する画像を前記出力サイズ記憶手段に記憶された前記第１の画像出力媒体に出力可能な画像のサイズに収めるように縮小率を算出する算出手段と、前記縮小率算出手段によって算出された縮小率と前記縮小率保存手段に保存された縮小率を比較し、前記縮小率の大小を判定する縮小率判定手段と、前記縮小率判定手段により前記縮小率算出手段によって算出された縮小率の方が大きいと判定された場合には、前記第１の画像出力装置から前記縮小率算出手段によって算出された縮小率で縮小された前記第１の画像出力媒体に出力する制御を行う画像出力制御手段と、を含むことを特徴としている。
【００２３】
また、請求項８記載の発明は、前記画像出力制御手段は、更に、前記縮小率判定手段により前記縮小率算出手段によって算出された縮小率の方が小さいと判定された場合には、前記第１の画像出力装置から等倍の画像を前記第１の画像出力媒体に出力する制御、前記第１の画像出力装置から前記縮小率保存手段に保存された縮小率で縮小された画像を前記第１の画像出力媒体に出力する制御、または、画像の出力を中止する制御のいずれかの制御を行うことを特徴としている。
【００２４】
また、請求項９記載の発明は、画像を等倍で前記第１の画像出力媒体に出力するのか、画像を前記縮小率保存手段に保存された縮小率で縮小して前記第１の画像出力媒体に出力するのか、画像を前記出力サイズ記憶手段に記憶された前記第１の画像出力媒体に出力可能な画像のサイズに収めるように算出される縮小率で縮小して前記第１の画像出力媒体に出力するのか、または、画像の出力を中止するのかのうち少なくとも２つから選択的に入力するための第１の入力手段を更に含み、前記画像出力制御手段は、更に、前記縮小率判定手段により前記縮小率算出手段によって算出された縮小率の方が小さいと判定された場合には、前記第１の入力手段により選択的になされた入力に基づいて、前記第１の画像出力装置から等倍の画像を前記第１の画像出力媒体に出力する制御、前記第１の画像出力装置から前記縮小率保存手段に保存された縮小率で縮小された画像を前記第１の画像出力媒体に出力する制御、前記第１の画像出力装置から前記出力サイズ記憶手段に記憶された前記第１の画像出力媒体に出力可能な画像のサイズに収めるように前記縮小率算出手段によって算出された縮小率で縮小された画像を前記第１の画像出力媒体に出力する制御、または、画像の出力を中止する制御のいずれかの制御を行うことを特徴としている。
【００２５】
また、請求項１０記載の発明は、報知を行うための報知手段と、前記縮小率判定手段により前記縮小率算出手段によって算出された縮小率の方が小さいと判定された場合に、その旨の報知を行うように前記報知手段を制御するとともに前記第１の入力手段からの前記入力を可能とするように制御する報知制御手段と、を更に含むことを特徴としている。
【００２６】
また、請求項１１記載の発明は、前記受け付けた画像データを、画像を等倍で前記第１の画像出力媒体に出力するのか、画像を前記縮小率保存手段に保存された縮小率で縮小して前記第１の画像出力媒体に出力するのか、画像を前記出力サイズ記憶手段に記憶された前記第１の画像出力媒体に出力可能な画像のサイズに収めるように算出される縮小率で縮小して前記第１の画像出力媒体に出力するのか、または、画像の出力を中止するのかの少なくとも２つについて選択的に記憶するための画像データ記憶手段を更に含み、前記画像出力制御手段は、更に、前記縮小率判定手段により前記縮小率算出手段によって算出された縮小率の方が小さいと判定された場合には、前記選択的になされた記憶に基づいて、前記第１の画像出力装置から等倍の画像を前記第１の画像出力媒体に出力する制御、前記第１の画像出力装置から前記縮小率保存手段に保存された縮小率で縮小された画像を前記第１の画像出力媒体に出力する制御、前記第１の画像出力装置から前記出力サイズ記憶手段に記憶された前記第１の画像出力媒体に出力可能な画像のサイズに収めるように前記縮小率算出手段によって算出された縮小率で縮小された画像を前記第１の画像出力媒体に出力する制御、または、画像の出力を中止する制御のいずれかの制御を行うことを特徴としている。
【００２７】
また、請求項１２記載の発明は、前記第１の画像出力装置は、印刷物の校正に用いるカラープルーフを作成するためのものであり、前記第２の画像出力装置は、印刷に用いる刷版を作成するためのものであり、前記受け付ける画像データは、前記刷版の作成に用いるためのものであることを特徴としている。
【００２８】
また、請求項１３記載の発明は、前記使用者が許容する縮小率を入力するための第２の入力手段を更に含み、前記保存手段は、前記第２の入力手段を用いた入力に基づいて、前記保存を行うことを特徴としている。
【００２９】
また、請求項１４記載の発明は、前記サイズ判定手段は、前記画像データが構成する画像のサイズと前記出力サイズ記憶手段に記憶された前記第１の画像出力媒体に出力可能な画像のサイズとの縦及び横をそれぞれ比較し、前記画像データが構成する画像のサイズの縦または横の少なくともいずれか一方が大きい場合に前記サイズオーバーと判定することを特徴としている。
【００３０】
また、請求項１５記載の発明は、前記縮小率算出手段は、前記画像データが構成する画像のサイズの縦及び横のそれぞれに対する前記出力サイズ記憶手段に記憶された前記第１の画像出力媒体に出力可能な画像のサイズの縦及び横の比率を求め、小さい方の前記比率を縮小率とすることを特徴としている。
【００３１】
また、請求項１６記載の発明は、画像出力媒体を備え、前記画像出力媒体に画像を出力する画像出力装置を含み、画像データを受け付け、前記画像出力装置から前記画像出力媒体に前記画像データが構成する画像を等倍または縮小して出力を行うことが可能な画像出力システムにおける画像出力制御方法であって、前記画像出力装置における前記画像出力媒体に出力可能な画像のサイズを記憶するステップと、使用者が許容する縮小率を保存するステップと、前記受け付けた画像データが構成する画像のサイズと前記記憶された前記画像出力媒体に出力可能な画像のサイズを比較し、前記受け付けた画像データが構成する画像のサイズの方が大きい場合にサイズオーバーと判定するステップと、前記サイズオーバーと判定された場合に、前記受け付けた画像データが構成する画像を前記記憶された前記画像出力媒体に出力可能な画像のサイズに収めるように縮小率を算出するステップと、前記算出された縮小率と前記保存された縮小率を比較し、前記縮小率の大小を判定するステップと、前記算出された縮小率の方が大きいと判定された場合には、前記画像出力装置から前記算出された縮小率で縮小された画像を前記画像出力媒体に出力する制御を行うステップと、を含むことを特徴としている。
【００３２】
また、請求項１７記載の発明は、第１の画像出力媒体を備え、前記第１の画像出力媒体に画像を出力する第１の画像出力装置を含み、前記第１の画像出力装置とは異なる第２の画像出力装置であり前記第１の画像出力媒体よりも出力可能な画像のサイズが大きい第２の画像出力媒体を備える前記第２の画像出力装置における前記第２の画像出力媒体に出力可能な画像のサイズを上限とする画像データを受け付け、前記第１の画像出力装置から前記第１の画像出力媒体に前記画像データが構成する画像を等倍または縮小して出力を行うことが可能な画像出力システムにおける画像出力制御方法であって、前記第１の画像出力装置における前記第１の画像出力媒体に出力可能な画像のサイズを記憶するステップと、使用者が許容する縮小率を保存するステップと、前記受け付けた画像データが構成する画像のサイズと前記記憶された前記第１の画像出力媒体に出力可能な画像のサイズを比較し、前記受け付けた画像データが構成する画像のサイズの方が大きい場合にサイズオーバーと判定するステップと、前記サイズオーバーと判定された場合に、前記受け付けた画像データが構成する画像を前記記憶された前記第１の画像出力媒体に出力可能な画像のサイズに収めるように縮小率を算出するステップと、前記算出された縮小率と前記保存された縮小率を比較し、前記縮小率の大小を判定するステップと、前記算出された縮小率の方が大きいと判定された場合には、前記第１の画像出力装置から前記算出された縮小率で縮小された画像を前記第１の画像出力媒体に出力する制御を行うステップと、を含むことを特徴としている。
【００３３】
また、請求項１８記載の発明は、第１の画像出力媒体を備え、前記第１の画像出力媒体に画像を出力する第１の画像出力装置を含み、前記第１の画像出力装置とは異なる第２の画像出力装置であり前記第１の画像出力媒体よりも出力可能な画像のサイズが大きい第２の画像出力媒体を備える前記第２の画像出力装置における前記第２の画像出力媒体に出力可能な画像のサイズを上限とし、且つ、外周部に余白が付された画像を構成する画像データを受け付け、前記第１の画像出力装置から前記第１の画像出力媒体に前記画像データが構成する画像を等倍または縮小して出力を行うことが可能な画像出力システムにおける画像出力制御方法であって、前記第１の画像出力装置における前記第１の画像出力媒体に出力可能な画像のサイズを記憶するステップと、使用者が許容する縮小率を保存するステップと、前記受け付けた画像データが構成する画像の外周部に付された余白を削除した画像を構成するように前記受け付けた画像データを加工するステップと、前記加工された画像データが構成する画像のサイズと前記記憶された前記第１の画像出力媒体に出力可能な画像のサイズを比較し、前記加工された画像データが構成する画像のサイズの方が大きい場合にサイズオーバーと判定するステップと、前記サイズオーバーと判定された場合に、前記加工された画像データが構成する画像を前記記憶された前記第１の画像出力媒体に出力可能な画像のサイズに収めるように縮小率を算出するステップと、前記算出された縮小率と前記保存された縮小率を比較し、前記縮小率の大小を判定するステップと、前記算出された縮小率の方が大きいと判定された場合には、前記第１の画像出力装置から前記算出された縮小率で縮小された画像を前記第１の画像出力媒体に出力する制御を行うステップと、を含むことを特徴としている。
【００３４】
また、請求項１９記載の発明は、第１の画像出力媒体を備え、前記第１の画像出力媒体に画像を出力する第１の画像出力装置を含み、前記第１の画像出力装置とは異なる第２の画像出力装置であり前記第１の画像出力媒体よりも出力可能な画像のサイズが大きい第２の画像出力媒体を備える前記第２の画像出力装置における前記第２の画像出力媒体に出力可能な画像のサイズを上限とし、且つ、外周部に余白が付された画像を構成する画像データを受け付け、前記第１の画像出力装置から前記第１の画像出力媒体に前記画像データが構成する画像を等倍または縮小して出力を行うことが可能な画像出力システムにおける画像出力制御方法であって、前記第１の画像出力装置における前記第１の画像出力媒体に出力可能な画像のサイズを記憶するステップと、使用者が許容する第１の縮小率を保存するステップと、前記受け付けた画像データが構成する画像のサイズと前記記憶された前記第１の画像出力媒体に出力可能な画像のサイズを比較し、前記受け付けた画像データが構成する画像のサイズの方が大きい場合に第１のサイズオーバーと判定するステップと、前記第１のサイズオーバーと判定された場合に、前記受け付けた画像データが構成する画像を前記記憶された前記第１の画像出力媒体に出力可能な画像のサイズに収めるように第２の縮小率を算出するステップと、前記第２の縮小率と前記第１の縮小率を比較し、前記第１及び第２の縮小率の大小を判定するステップと、前記第２の縮小率の方が小さいと判定された場合に、前記受け付けた画像データが構成する画像の外周部に付された余白を削除した画像を構成するように前記受け付けた画像データを加工するステップと、前記加工された画像データが構成する画像のサイズと前記記憶された前記第１の画像出力媒体に出力可能な画像のサイズを比較し、前記加工された画像データが構成する画像のサイズの方が大きい場合に第２のサイズオーバーと判定するステップと、前記第２のサイズオーバーと判定された場合に、前記加工された画像データが構成する画像を前記記憶された前記第１の画像出力媒体に出力可能な画像のサイズに収めるように第３の縮小率を算出するステップと、前記第３の縮小率と前記第１の縮小率を比較し、前記第１及び第３の縮小率の大小を判定するステップと、前記第３の縮小率の方が大きいと判定された場合には、前記第１の画像出力装置から前記第３の縮小率で縮小された画像を前記第１の画像出力媒体に出力する制御を行うステップと、を含むことを特徴としている。
【００３５】
また、請求項２０記載の発明は、請求項１６または請求項１９に記載の画像出力制御方法をコンピュータに実行させるためのプログラムであることを特徴としている。
【００３６】
また、請求項２１記載の発明は、請求項２０に記載のプログラムを前記コンピュータで読み取り可能に記録した記録媒体であることを特徴としている。
【発明の効果】
【００３７】
請求項１、請求項６または請求項７記載の画像出力システムによれば、出力する画像が画像出力装置の出力サイズより大きくサイズオーバーとなる場合に、画像データが構成する画像を画像出力装置の出力可能なサイズに収めるように縮小率を算出し、その算出された縮小率と使用者が許容する縮小率とを比較し、算出された縮小率の方が大きい場合に、その算出された縮小率で画像を縮小して出力するので、算出された縮小率は使用者が許容する縮小率より大きいので画像が小さくなりすぎることがない。また、請求項７記載の画像出力システムによれば、余白を削除して出力するので、縮小率をさらに大きくして出力することができる。
【００３８】
請求項２または請求項８記載の画像出力システムによれば、算出された縮小率の方が小さくなる場合であっても、画像を等倍または許容する縮小率で縮小して出力するので、画像が小さくなりすぎることがなく、また、出力を中止することによれば画像を算出された縮小率で縮小して小さくなりすぎる画像を無駄に出力することが無い。
【００３９】
請求項３、請求項５、請求項９または請求項１１記載の画像出力システムによれば、算出された縮小率の方が許容縮小率より小さくなる場合に、画像を等倍または許容する縮小率で縮小して出力することや、出力を中止することや、算出された縮小率で縮小して出力することを使用者が選択できる。
【００４０】
請求項４または請求項１０記載の画像出力システムによれば、算出された縮小率の方が許容縮小率より小さくなる場合に、その旨の報知を行うので、使用者がその旨を認知できる。
【００４１】
請求項１２記載の画像出力システムによれば、印刷物の校正用のカラープルーフを作成する場合にカラープルーフの出力を好適に行うことができる。
【００４２】
請求項１３記載の画像出力システムによれば、許容する縮小率を使用者が変更し設定することができる。
【００４３】
請求項１６乃至請求項１９記載の画像出力制御方法によれば、出力する画像が画像出力装置の出力サイズより大きくサイズオーバーとなる場合に、画像データが構成する画像を画像出力装置の出力可能なサイズに収めるように縮小率を算出し、その算出された縮小率と使用者が許容する縮小率とを比較し、算出された縮小率の方が大きい場合に、その算出された縮小率で画像を縮小して出力するので、算出された縮小率は使用者が許容する縮小率より大きいので画像が小さくなりすぎることがない。また、請求項１８または請求項１９記載の画像出力システムによれば、余白を削除して出力するので、縮小率をさらに大きくして出力することができる。
【発明を実施するための最良の形態】
【００４４】
当該画像出力システムは、例えば、ＣＴＰ等で印刷に用いる刷版を作成する前の校正用に用いるカラープルーフを、刷版を作成するための画像データを用いて作成する場合に、画像出力装置（カラーレーザプリンタ、及び、カラーレーザプリンタ、スキャナ、コピア、ファクシミリの各機能を併せ持ついわゆる複合機を含む）に使用者が許容する縮小率（以下、許容縮小率）を予め保存しておき、画像データが構成する画像のサイズが、画像出力装置が出力可能な画像のサイズ（以下、出力サイズ）より大きい場合（以下、サイズオーバーと記す）に、出力サイズに収めるように算出される縮小率と保存された縮小率の大小を判定し、少なくとも算出された縮小率の方が大きい場合に、算出された縮小率で縮小して出力するものである。もちろん、カラープルーフ作成以外の用途に用いる画像出力システムや画像出力装置において、サイズオーバーする場合に好適に適用できるものである。
【００４５】
ここで、縮小率について述べる。以下、縮小率は、縮小された画像のサイズに対する元の画像のサイズの比率とし、例えばパーセント（％）で表す。また、縮小率の大小は、そのパーセントの値の大小によるものとし、例えば、縮小率９０％と縮小率６０％を比べた場合には、縮小率９０％の方が縮小率６０％より大きいとする。
【００４６】
［第１の実施の形態］
以下、本発明に係る画像出力システムの一実施形態について、図面を参照しながら具体的に説明する。
【００４７】
（システムの全体構成）
まず、本実施の形態における画像出力システムの全体構成について図１を参照して説明する。図１は、当該画像出力システム全体の構成を示す図である。
【００４８】
図１に示すように、画像出力システムは、印刷物の画像編集を行う上流端末であるクライアント端末３ａ〜３ｃと、ＲＩＰ（Ｒａｓｔｅｒ  Ｉｍａｇｅ  Ｐｒｏｃｅｓｓｏｒ）４（画像データ生成手段）と、記録用紙（第１の画像記録媒体）に画像を出力してカラープルーフやカンプを作成するためのカラーレーザプリンタ２（第１の画像出力装置）と、前記レーザプリンタ２の出力制御に関する制御を行うコントローラとしての制御装置１とを含んで構成されている。クライアント端末３、ＲＩＰ４及び制御装置１は、ＬＡＮやインターネット等のネットワークＮを介してそれぞれ通信可能に接続されている。
【００４９】
この画像出力システムには、さらに、ＲＩＰ４から送信される画像データを用いて直接に刷版（第２の画像出力媒体）に画像を結像して出力し、印刷に用いる刷版を作成することが可能なＣＴＰ５（第２の画像出力装置）と、高精度なカラープルーフを作成するためのＤＣＰ７及びＤＣＰ７の出力に関する制御を行うＤＣＰ制御装置６が設けられている。このＣＴＰ５により出力された刷版を印刷機に装着して印刷処理を行うことにより、（最終的な）印刷物が出力される。
【００５０】
クライアント端末３ａ〜３ｃは、いわゆるＰＣ（Ｐｅｒｓｏｎａｌ  Ｃｏｍｐｕｔｅｒ）で、コンピュータ本体、キーボードおよびモニタ等に加えて、イメージスキャナ等の画像入力機器などを備え（図示は省略する）、コンピュータ本体にアプリケーションソフトを備え、アプリケーションソフトを実行させてポストスクリプト（登録商標）やＰＤＦ等のページ記述言語で画像データ（以下、画像データ（ＰＳ）と表記する）を作成しネットワークＮを通じてＲＩＰ４に送信することや、カラーレーザプリンタ２を用いてのカンプの作成を所望する場合には、画像データ（ＰＳ）を制御装置１に送信する。また、このようなクライアント端末は、通常、複数台が設けられている（本実施形態では３ａ〜３ｃの３台設けられているが、もちろん１台のみの構成や所望の台数からなる構成としてよい）。
【００５１】
制御装置１は、いわゆるコンピュータであって、所定の動作プログラムが組み込まれたにコンピュータ本体、キーボード、マウス、モニタ、スピーカ等から構成され、カラーレーザプリンタ２の出力制御に関する制御を行うコントローラとしての機能を備えている（制御構成の詳細は後述）。
【００５２】
カラーレーザプリンタ２は、いわゆる電子写真方式により各色のトナーを用いて像を記録用紙上に重ね合わせてカラー画像を出力するものである（制御構成の詳細は後述）。また、このカラーレーザプリンタ２は、カンプの作成、及び、ＲＩＰ４で生成されるＣＴＰ５で刷版を作成するための画像データ（ＲＩＰ）を用いてカラープルーフを作成する。このカラープルーフは刷版を作成する前の印刷物の校正に用いられるものである。
【００５３】
ＲＩＰ４は、クライアント端末３ａ〜３ｃで作成された画像データ（ＰＳ）をネットワークＮを通じて受信し、画像データ（ＰＳ）が含む画像、文字フォントなどの情報を解析しビットマップに変換を行うプロセッサとして機能するサーバ等から構成され、ＣＴＰ５で刷版を作成するためのラスタイメージフォーマットのＣ（シアン）、Ｍ（マゼンタ）、Ｙ（イエロー）およびＫ（ブラック）の各基本色の網点画像データ（以下、ラスターデータと表記する）を面順次に生成するようになっている。また、画像データ（ＰＳ）が含む画像の出力色がモノクロの場合には、Ｋについてのラスターデータを生成する。そして、ラスターデータに解像度や出力色（カラー／モノクロ）等の情報を記述したヘッダを付して、画像データ（ＲＩＰ）としてＣＴＰ５に送信する。また、ＣＴＰ５で刷版を作成する前に、カラープルーフをカラーレーザプリンタ２またはＤＣＰ７でカラープルーフを作成し校正を行う場合には、制御装置１またはＤＣＰ制御装置６に画像データ（ＲＩＰ）を送信する。
【００５４】
ここで、ＲＩＰ４で生成される画像データ（ＲＩＰ）が構成する画像のサイズについて説明する。ＣＴＰ５の刷版の出力サイズ（第２の出力サイズ）を、例えば、最大がＡ１ワイドサイズとすると、まず、例えばクライアント端末３から送信される画像データ（ＰＳ）が、例えば８つのＡ４サイズ（２１０ｍｍ×２９７ｍｍ）の画像を含んでいれば、刷版用の画像データとして、図２に示すように、８つの画像を面付けするとともに各画像間及び外周部に２５．４ｍｍ幅の余白を付し、さらに外周部の余白の４隅にトンボ（多色印刷の場合に各色の位置（見当）を合わせたり、加工や仕上げの際に位置を合わせるための目印に引かれた線。）を付し、Ａ１ワイドサイズ（例えば６７０．２ｍｍ×９６７ｍｍとする）の画像として作成する。また、この面付けの数や余白は、上記８つ、２５．４ｍｍに限らず、２つのＡ４サイズの画像を、各画像間及び画像の周囲に余白を設け、外周部の余白部の４隅にトンボを付して面付けしＡ３ワイドサイズ（例えば３０７ｍｍ×４３０ｍｍ）で作成してもよく、また、面付けする画像をＡ４サイズとして説明したが、他のサイズ（例えば、Ａ３サイズ、Ａ２サイズなど）のや非定形サイズでもよい。そして、後述するように所望の解像度で各基本色のラスターデータが生成され、ラスターデータに解像度や出力色（カラー／モノクロ）等の情報を記述したヘッダを付して画像データ（ＲＩＰ）とし、送信される。このように、ＲＩＰ４で生成される画像データ（ＲＩＰ）は、その構成する画像が様々なサイズ、解像度及び出力色で生成される。
【００５５】
また、ＲＩＰ４には、複数のいわゆるホットフォルダが用意され、ＲＩＰ４は常にホットフォルダを監視し、画像データ（ＰＳ）を発見したら、解析を行い、画像データ（ＲＩＰ）を生成するように作用する。ホットフォルダは、画像の解像度（ＣＴＰで刷版として出力するときの解像度）及び出力先（カラーレーザプリンタ２、ＣＴＰ５、ＤＣＰ７）が設定され作成されているので、画像データ（ＰＳ）を発見したホットフォルダに応じた解像度で画像データ（ＲＩＰ）を生成し、生成した画像データ（ＲＩＰ）を出力先に送信するようになっている。ただし、出力先がカラーレーザプリンタ２であれば制御装置１に、ＤＣＰ７であればＤＣＰ制御装置６に送信する。
【００５６】
また、クライアント端末３でホットフォルダをモニタ上に表示させ、所望の解像度及び出力先のホットフォルダに画像データ（ＰＳ）をドラッグアンドドロップすることにより、自動的にＲＩＰ４へ画像データ（ＰＳ）を送信することができる。また、クライアント端末３での解像度及び出力先の選択は、前述のホットフォルダによる方法のみならず、例えば、送信の際に解像度及び出力先の選択が入力可能な入力画面をクライアント端末３のモニタに表示させて、その入力画面を用いて入力する方法であってもよい。
【００５７】
（制御装置及びカラーレーザプリンタの制御構成）
次に、制御装置１及びカラーレーザプリンタ２の制御構成を図３を用いて説明する。図３は、制御装置１及びカラーレーザプリンタ２の機能ブロック図である。
【００５８】
制御装置１は、図３に示すように、入力手段１３、プログラム、画像データ（ＲＩＰ）等を記憶する機能を有する記憶部１０、画像データ（ＲＩＰ）が構成する画像の縮小に関する処理を行う処理部１１、報知を行うための報知手段１４、縮小率が適切でない場合にその旨を報知するように報知手段１４を制御する報知制御手段１５、カラーレーザプリンタ２から画像を出力するように制御する画像出力制御手段１２を含んで構成される。
【００５９】
入力手段１３は、モニタ、キーボード及びマウスを含んで構成され、種々の入力画面を用いての入力が可能に構成されている。
【００６０】
記憶部１０は、ホットフォルダを備え、ＲＩＰ４から送信される画像データ（ＲＩＰ）及びクライアント端末３から送信されるカンプ用の画像データ（ＰＳ）を受信し記憶する画像データ記憶部１０１（画像データ記憶手段）、カラーレーザプリンタ２から送信される情報（後述）を受けてカラーレーザプリンタ２の出力サイズを記憶する出力サイズ記憶部１０２（出力サイズ記憶手段）、入力手段１３を用いての入力（後述）を受けて、許容縮小率を保存する許容縮小率設定記憶部１０３（縮小率保存手段）、全体を制御するためのプログラム、及び、本発明の画像出力制御方法を実行するためのプログラム等を特定のディレクトリに記憶する。
【００６１】
また、画像出力制御方法を実行するためのプログラムを、例えばフロッピー（登録商標）ディスク、ＣＤ−ＲＯＭ、磁気記録テープ等の可搬性の記録媒体等に格納してもよい。また、かかるプログラムソフトウエアをコンピュータで実行する場合には、コンピュータに付属の読取装置で上述の記録媒体から読み取ることができる。
【００６２】
処理部１１は、ホットフォルダを監視し、画像データ（ＲＩＰ）がホットフォルダに記憶されたときに画像データ（ＲＩＰ）を発見するための監視手段１１１と、監視手段１１１がホットフォルダ内に画像データ（ＲＩＰ）を発見したときに、画像データ（ＲＩＰ）のラスターデータとヘッダに記述された解像度から画像のサイズを算出し、算出した画像のサイズと出力サイズ記憶部１０２に記憶されたカラーレーザプリンタ２の出力サイズとを比較し、算出した画像のサイズがサイズオーバーするか否か判定するサイズ判定手段１１２と、サイズ判定手段１１２がサイズオーバーと判定した場合に、画像データ（ＲＩＰ）が構成する画像を出力サイズに収めるように縮小率を算出する縮小率算出手段１１３、許容縮小率設定記憶部１０３に保存された許容縮小率と縮小率算出手段１１３で算出された縮小率とを比較し、算出された縮小率と保存された許容縮小率の大小を判定する縮小率判定手段１１４とを備えている。
【００６３】
画像出力制御手段１２は、画像を出力するときの縮小率等を決定する処理決定手段１２１、処理決定手段１２１で決定された縮小率で画像を縮小するように画像データ（ＲＩＰ）を加工する縮小手段１２２を備え、画像データ（ＲＩＰ）をカラーレーザプリンタ２で出力可能なフォーマットに変換し、カラーレーザプリンタ２から画像を出力するように制御する機能を備える。また、画像出力制御手段１２は、監視手段１１１が画像データ（ＰＳ）を発見したときに、画像データ（ＰＳ）をカラーレーザプリンタ２で出力可能なフォーマットに変換し、画像出力するようにカラーレーザプリンタ２を制御する。
【００６４】
ただし、縮小手段１２２は、カラーレーザプリンタ２に備えて、カラーレーザプリンタ２で出力可能なフォーマットに変換されたデータを、処理決定手段１２１で決定された縮小率で画像を縮小するように加工してしてもよい。
【００６５】
また、許容縮小率の設定は、例えば、図４に示すような許容縮小率設定画面１３１を制御装置１のモニタに表示させて使用者が許容できる設定となるようにマウスやキーボードを用いて入力し（第２の入力手段）、その入力を受けて設定される。また、この許容縮小率は、縮小手段１２２による可能な縮小率の設定範囲（例えば、図４に示す４０〜９９％）から任意の縮小率を指定できる。また、許容縮小率設定画面１３１を用いての入力によらず予めプログラムに書き込んでおき、そこから読み取って設定するような方法でもよい。
【００６６】
報知手段１４は、例えばモニタ、または、スピーカ等で構成され、報知制御手段１５は、縮小率判定手段１１４により、算出された縮小率の方が小さいと判定された場合にその旨を報知するように報知手段１４を制御する。例えば、モニタに表示することや、スピーカから音声や信号音を出力することで報知を行う。
【００６７】
カラーレーザプリンタ２は、記録用紙を画像出力部２３に給紙する給紙部２２、給紙される記録用紙に画像を記録し出力する画像出力部２３、ユーザが各種操作や入力を行うためのユーザインターフェイスとしての操作パネル２４、及び、カラーレーザプリンタ２全体を制御するカラーレーザプリンタ制御部２１を含んで構成される。
【００６８】
給紙部２２は、少なくとも１種の記録用紙を収容するとともに、制御部２１に制御されて記録用紙を給紙する。また、図示しないが、モータやセンサの部品や記録紙搬送のためのローラやガイド部材及びそれらを保持する部材等で構成されている。
【００６９】
画像出力部２３は、記録用紙に画像記録を行うと共に、例えば、図示しないが、給紙された記録用紙を搬送する搬送部、画像が記録された記録用紙を排紙する排紙部を含んで構成されている。また、それらの各部はモータやセンサの部品や記録紙搬送のためのローラやガイド部材及びそれらを保持する部材等構成されている。尚、本実施の形態において、画像の記録は、画像データに基づいて各基本色毎の像担持体上にレーザ光を用いて潜像を形成し、現像剤を用いて現像を行い各色のトナー像を形成し、形成されたトナー像を中間転写体を介して一括して給紙部から給紙される記録用紙に転写するいわゆる電子写真方式によって行う。また、出力サイズはこの記録用紙のサイズによって決定され、最大で記録用紙のサイズであり、画像出力部の構成によって記録用紙の周辺部に余白を必要とする場合には記録用紙のサイズからその余白を差し引いたサイズとなる（本実施の形態においては記録用紙のサイズを出力サイズとして説明をする。）。
【００７０】
操作パネル２４は、例えば、パターンや文字の表示を行うＬＣＤと操作の受付けを行うタッチパネルとが重ねて配置されてなり、カラーレーザプリンタ２の状態等の表示や、ＬＣＤに表示されているアイコン等をその位置でタッチパネルを押下して操作・入力することができるように構成されている。
【００７１】
制御部２１は、画像出力装置全体の制御を行う機能と、制御装置１から画像データを受信し、画像の出力を行うように各部を制御する機能と、給紙部２２に収容されている記録用紙のサイズから出力サイズについての情報を制御装置１に送信する機能を備える。また、具体的には、ＣＰＵと、全体の制御を行うためのプログラム、及び、プログラムを実行するときに必要な各種データを記憶すると共に、プログラムを実行するときのワークエリアを構成するシステムメモリを含んで構成される。また、出力サイズについての情報は、記録用紙のサイズを検知するセンサ等に基づいて自動的に取得される情報であっても、記録用紙のサイズについて操作パネルを用いて入力される情報であってもよく、特に限定するものではない。また、制御装置１の入力手段１３を用いて制御装置１に記録用紙のサイズを直接入力し、その入力に基づいて制御装置１の出力サイズ記憶部１０２に出力サイズを記憶するようにしてもよい。また、カラーレーザプリンタ２の出力サイズは、ＣＴＰ５の出力サイズより小さく、例えば、Ａ３サイズやＡ３ワイドサイズである。
【００７２】
また、本実施の形態においては、制御装置１とカラーレーザプリンタ２をそれぞれ独立した装置とする構成としたが、この２つを制御装置１の機能を備えたカラーレーザプリンタとして構成することも可能である。
【００７３】
（画像出力制御方法）
次に、上述のような構成の画像出力システムにおける画像出力制御方法について、図５〜図９を参照しつつ説明する。図５は、クライアント端末３及びＲＩＰ４で行う画像データの処理を説明するためのフローチャートで、図６〜図９は、本画像出力システムの制御装置１及びカラーレーザプリンタ２における処理を説明するための図である。
【００７４】
制御手段１の出力サイズ記憶部１０２のカラーレーザプリンタ２の出力サイズ、及び、許容縮小率設定記憶部１０３の許容縮小率（以下、縮小率Ｚｕと記す）は、予め保存されているものとする。
【００７５】
まず、図５を用いてクライアント端末３及びＲＩＰ４で行う処理について説明する。
【００７６】
まず、クライアント端末３で作成された画像データ（ＰＳ）が、ＲＩＰ４に用意されているカラーレーザプリンタ２で出力するためのホットフォルダへ送信され、ＲＩＰ４でホットフォルダに画像データ（ＰＳ）を発見すると（図５ステップＳ１０１、以下省略してＳ１０１と記す。他のステップも同様。）、ＲＩＰ４では、画像データ（ＰＳ）を解析し、面付け及び余白を付し、ホットフォルダに応じた解像度でラスターデータ化し、さらに解像度及び出力色（カラーモノクロ）についての情報を記述したヘッダを付して画像データ（ＲＩＰ）を生成し（Ｓ１０２）、画像データ（ＲＩＰ）を制御装置１に送信する（Ｓ１０３）。
【００７７】
以下、図６〜図９を用いて、制御装置１及びカラーレーザプリンタ２にける画像出力制御方法の処理について説明する。
【００７８】
図６は、制御装置１及びカラーレーザプリンタ２における処理手順を示すフローチャートである。図６によれば、まず、制御装置１は、画像データ（ＲＩＰ）を受信し画像データ記憶部１０１のホットフォルダに記憶する。監視手段１１１は、ホットフォルダを監視し、画像データ（ＲＩＰ）を発見すると（Ｓ２０１）、サイズ判定手段１１２は、画像データ（ＲＩＰ）のヘッダに記述された解像度とラスターデータから画像データが構成する画像のサイズを算出し、その画像のサイズと出力サイズ記憶部１０２に記憶されたカラーレーザプリンタ２の出力サイズとを比較し、サイズオーバーか否か判定する（Ｓ２０２）。
【００７９】
例えば、ラスターデータの１ライン当たりのデータ数をＤ、ライン数をＬ、解像度をＲとすれば、
横方向の画像のサイズ＝Ｄ／Ｒ、
縦方向の画像のサイズ＝Ｌ／Ｒ、
として求めることができ、この算出した画像のサイズの縦横と出力サイズの縦横とをそれぞれ比較する。
【００８０】
画像のサイズの縦及び横のどちらもがそれぞれ出力サイズの縦及び横と同じまたは小さい場合には、サイズ判定手段１１２は、サイズオーバーではないと判定し（Ｓ２０２、Ｎ）、画像出力制御手段１２は、処理決定手段１２１により、等倍出力〔処理（Ａ）〕により出力することを決定し、処理（Ａ）、すなわち、画像出力制御手段１２は、画像データ（ＲＩＰ）をカラーレーザプリンタ２で出力可能なフォーマットに変換し、カラーレーザプリンタ２から画像を出力する制御を行う（Ｓ２０６）。
【００８１】
一方、画像のサイズの縦または横のいずれか一方が出力サイズより大きい場合には、サイズ判定手段１１２はサイズオーバーと判定し（Ｓ２０２、Ｙ）、縮小率算出手段１１３は、例えば、算出した画像のサイズの縦及び横のそれぞれに対するカラーレーザプリンタ２の出力サイズの縦及び横の比率を算出し、どちらかの小さい方の比率を、画像を出力サイズに収めるための縮小率Ｚｔ１として求める（Ｓ２０３）。
【００８２】
次に、縮小率判定手段１１４は、縮小率Ｚｔ１と縮小率Ｚｕとを比較し、縮小率Ｚｔ１と縮小率Ｚｕの大小を判定する。縮小率Ｚｔ１の方が大きいと判定した場合は（Ｓ２０４、Ｎ）、画像出力制御手段１２は、処理決定手段１２１により、縮小率Ｚｔ１での縮小出力〔処理（Ｄ１）〕により出力することを決定し、処理（Ｄ１）、すなわち、画像出力制御手段１２は、縮小手段１２２により画像データ（ＲＩＰ）を縮小率Ｚｔ１で縮小する加工を行い、加工された画像データ（ＲＩＰ）をカラーレーザプリンタ２で出力可能なフォーマットに変換し、カラーレーザプリンタ２から画像を出力する制御を行う（Ｓ２０７）。
【００８３】
ここで、出力される画像は、縮小率Ｚｕ（許容縮小率）より大きい縮小率Ｚｔ１で縮小されたものであるから、例えば、校正用のカラープルーフとして使用することが可能である。
【００８４】
一方、縮小率判定手段１１４は、縮小率Ｚｔ１と縮小率Ｚｕとを比較し、縮小率Ｚｔ１の方が小さいと判定した場合は（Ｓ２０４、Ｙ）、画像出力制御手段１２は、処理決定手段１２１により、等倍出力〔処理（Ａ）〕、縮小率Ｚｕでの縮小出力〔処理（Ｂ）〕、出力の中止〔処理（Ｃ）〕、または、選択処理〔処理（Ｅ１）〕のいずれかを行うことを決定し（この場合、処理（Ａ）乃至処理（Ｅ１）のいずれを行うかは、予めプログラムされているものであり、プログラムに従って決定がなされる）、処理決定手段１２１による決定に基づいた制御を行う（Ｓ２０５）。
【００８５】
ここで、出力サイズがＡ３サイズ（２９７ｍｍ×４２０ｍｍ）で、縮小率Ｚｕが７０％に設定され、図２に示したＡ１ワイドサイズ（６７０．２ｍｍ×９６７ｍｍ）の画像を構成する画像データについて出力する場合を例に具体的に説明する。
【００８６】
サイズ判定手段１１２で、画像のサイズ（Ａ１ワイドサイズ）と出力サイズ（Ａ３サイズ）を比較すると、縦方向は２９７ｍｍ＜６７０．２ｍｍ、横方向は４２０ｍｍ＜９６７ｍｍなのでサイズオーバーと判定し、縮小率算出手段１１３は縮小率Ｚｔ１を求める。
縦方向の比率：２９７／６７０．２×１００＝４４．３％
横方向の比率：４２０／９６７×１００＝４３．４％
であるから、小さい方の比率を縮小率Ｚｔ１とし、縮小率Ｚｔ１は、４３．４％と求まる。
【００８７】
次に縮小率判定手段１１４は、縮小率Ｚｔ１と縮小率Ｚｕとを比較し、大小を判定する。
４３．４＜７０
なので、縮小率Ｚｔ１の方が小さいと判定する。
【００８８】
ここで、プログラムに従い画像出力制御手段１２は、処理決定手段１２１が等倍出力〔処理（Ａ）〕を行うこと決定した場合には、Ａ１ワイドサイズの画像を、カラーレーザプリンタ２からＡ３サイズの記録用紙に、図７（ａ）に示すように画像の一部分を等倍で出力するように制御する。例えば、縮小率Ｚｕが大きな値（１００％に近い）値で設定されているために、出力サイズより僅かに大きい画像であるが、Ｚｔ１＜Ｚｕと判定されてしまった場合等、等倍で出力しても出力されない画像が僅かである場合には、画質を優先して等倍で出力することができる。また、画像を複数に分割するように画像データを加工する分割手段を設けて、Ａ１ワイドサイズの画像を分割して複数枚でもって出力してもよく、例えば、縮小率Ｚｕで縮小しても、等倍で出力しても分割して出力される数枚が変わらない場合に、画質を優先して等倍で出力することができる。
【００８９】
また、プログラムに従い画像出力制御手段１２は、処理決定手段１２１が縮小率Ｚｕでの縮小出力〔処理（Ｂ）〕を行うと決定した場合には、Ａ１ワイドサイズの画像を縮小率Ｚｕで７０％に縮小し、カラーレーザプリンタ２からＡ３サイズの記録用紙に、図７（ｂ）に示すように７０％に縮小された画像の一部分を出力するように制御する。出力される画像は、縮小率Ｚｕで縮小されたものであるから、カラープルーフとして使用可能な画質を有するとともに、縮小していることにより、等倍より多くの範囲を出力できる。また、Ａ１ワイドサイズの画像が７０％に縮小された画像を分割するように画像データを加工する分割手段を設けて、縮小された画像を分割して複数枚でもって出力してもよい。
【００９０】
また、プログラムに従い画像出力制御手段１２は、処理決定手段１２１が出力の中止〔処理（Ｃ）〕を行うと決定した場合には、出力を中止するように制御する。この中止を受けて使用者は、画像データＰＳを例えば面付けされる画像の数を減らすなどして縮小率Ｚｔ１が縮小率Ｚｕより大きくなるように作成し直すことができる。
【００９１】
また、プログラムに従い画像出力制御手段１２の処理決定手段１２１が選択処理〔処理（Ｅ１）〕を行うと決定する場合の手順の一例について、図８に示すフローチャートを用いて説明する。
【００９２】
まず、縮小率判定手段１１４は、縮小率Ｚｔ１と縮小率Ｚｕとを比較し、縮小率Ｚｔ１の方が小さいと判定すると、報知制御手段１５は、モニタに図９にしめす入力画面を兼ねる本発明の第１の入力手段としての出力選択画面１３２にその旨を報知表示部１３７に、例えば「縮小率が許容縮小率より低くなりました。（許容縮小率は、現在  ７０％です。）」と表示する（Ｓ５０１）。また、出力選択画面１３２として報知手段と入力手段とを兼ねた画面を例として示したが、言うまでもなく報知手段としての画面と入力手段としての画面を分けて表示してもよい。また、報知はこれに限らず、スピーカから音声や所定の周期の音によりその旨の報知を行うようにしてもよい。
【００９３】
そして、出力選択画面１３２に表示された各種ボタン１３３乃至１３６をクリックして選択の入力がなされると（Ｓ５０２）、例えば、等倍出力ボタン１３３がクリックされると、画像出力制御手段１２は、処理決定手段１２１で等倍出力〔処理（Ａ）〕を行うと決定し、Ａ１ワイドサイズの画像をＡ３サイズの記録用紙に、図７（ａ）に示すように画像の一部分を等倍で出力するように制御する。  また、縮小１ボタン１３４がクリックされると、画像出力制御手段１２は、処理決定手段１２１で縮小率Ｚｕでの縮小出力〔処理（Ｂ）〕を行うと決定し、Ａ１ワイドサイズの画像を縮小率Ｚｕで７０％に縮小し、Ａ３サイズの記録用紙に、図７（ｂ）に示すように７０％に縮小された画像の一部分を出力するように制御する。
【００９４】
また、縮小２ボタン１３５がクリックされると、画像出力制御手段１２は、処理決定手段１２１で縮小率Ｚｔ１での縮小出力〔処理（Ｄ１）〕を行うと決定し、Ａ１ワイドサイズの画像を縮小率Ｚｔ１で４３．４％で縮小し、Ａ３サイズの記録用紙に、図７（ｃ）に示すように４３．４％に縮小された画像を出力するように制御する（Ｓ５０６）。例えば、位置関係のみの校正を行うような場合には、画質を重視しないので縮小しても問題が無いので、大きなサイズの画像を１枚の小さな記録用紙に縮小して出力することができる。
【００９５】
また、出力中止１３６がクリックされると、画像出力制御手段１２は、処理決定手段１２１で出力の中止〔処理（Ｃ）〕を行うと決定し、出力を中止するように制御する（Ｓ５０５）。
【００９６】
また、縮小率Ｚｔ１が縮小率Ｚｕより小さいと判定された場合の処理を予め選択して設定等しておき、縮小率Ｚｔ１が縮小率Ｚｕより小さいと判定された場合にその設定等に基づいて処理するようにしてもよい。
【００９７】
例えば、等倍出力〔処理（Ａ）〕を行うのか、縮小率Ｚｕでの縮小出力〔処理（Ｂ）〕を行うのか、縮小率Ｚｔ１での縮小出力〔処理（Ｄ１）〕を行うのか、或いは、出力の中止〔処理（Ｃ）〕を行うのかを画像データに予め設定できるように、例えば、クライアント端末３で、図９に示した出力選択画面１３１の報知表示部１３７は表示のないものを、モニタに表示してその画面を用いて画像データ（ＰＳ）に処理情報として付して送信し、ＲＩＰ４が、受信した画像データ（ＰＳ）から画像データ（ＲＩＰ）を生成するとともに処理情報を付して制御装置１に送信し、制御装置１では、Ｓ２０１乃至Ｓ２０４の処理を行い、縮小率判定手段が、縮小率Ｚｔ１の方が小さいと判定したら（Ｓ２０４、Ｙ）、Ｓ２０５で処理決定手段１２１は、処理情報を参照して、処理（Ａ）、処理（Ｂ）、処理（Ｃ）または処理（Ｄ１）のいずれかを行うように決定するようにしてもよい。
【００９８】
また、ＲＩＰ４のホットフォルダに上述の画像の解像度（ＣＴＰで刷版として出力するときの解像度）及び出力先（カラーレーザプリンタ２、ＣＴＰ５、ＤＣＰ７）の設定に加えて、画像データ（ＰＳ）を所望の処理毎に分別して受け付けて格納できるように処理（Ａ）、処理（Ｂ）、処理（Ｃ）または処理（Ｄ１）を設定して作成しておき、まず、クライアント端末３で、ＲＩＰ４に用意されたホットフォルダから選択して画像データ（ＰＳ）を送信し、ＲＩＰ４が、受信した画像データ（ＰＳ）から画像データ（ＲＩＰ）を生成するとともに受信したホットフォルダに応じて縮小率Ｚｔ１の方が小さいと判定された場合の処理を示す処理情報を付して制御装置１に送信し、制御装置１では、Ｓ２０１乃至Ｓ２０４の処理を行い、縮小率判定手段が、縮小率Ｚｔ１の方が小さいと判定したら（Ｓ２０４、Ｙ）、Ｓ２０５で処理決定手段１２１は、処理情報を参照して、処理（Ａ）、処理（Ｂ）、処理（Ｃ）または処理（Ｄ１）のいずれかを行うように決定するようにしてもよい。
【００９９】
また、ＲＩＰ４のホットフォルダに上述の画像の解像度（ＣＴＰで刷版として出力するときの解像度）及び出力先（カラーレーザプリンタ２、ＣＴＰ５、ＤＣＰ７）の設定に加えて、処理（Ａ）、処理（Ｂ）、処理（Ｃ）または処理（Ｄ１）を設定して作成しておくとともに、制御装置に、受け付けた画像データ（ＲＩＰ）を所望の処理毎に選択して記憶できるようにするために、処理（Ａ）、処理（Ｂ）、処理（Ｃ）または処理（Ｄ１）を設定して作成されたホットフォルダをＲＩＰ４のホットフォルダに対応させて用意しておき、まず、クライアント端末３で、ＲＩＰ４に用意されたホットフォルダから選択して画像データ（ＰＳ）を送信し、ＲＩＰ４が、受信した画像データ（ＰＳ）から画像データ（ＲＩＰ）を生成し、制御装置１の対応するホットフォルダに転送（送信）して、制御装置１では、Ｓ２０１乃至Ｓ２０４の処理を行い、縮小率判定手段が、縮小率Ｚｔ１の方が小さいと判定したら（Ｓ２０４、Ｙ）、Ｓ２０５で処理決定手段１２１は、画像データ（ＲＩＰ）が記憶されたホットフォルダに基づいて、処理（Ａ）、処理（Ｂ）、処理（Ｃ）または処理（Ｄ１）のいずれかを行うように決定するようにしてもよい。このようにすれば、縮小率Ｚｔ１の方が小さいと判定された場合の処理を予め選択的に設定しておくことできる。また、上記の説明では、処理（Ａ）、処理（Ｂ）、処理（Ｃ）または処理（Ｄ１）から画面やフォルダを用いて選択するように説明したが、処理（Ａ）、処理（Ｂ）、または、処理（Ｃ）のうちの２つまたは３つから選択できるようにするなど、選択肢の数は、上記の説明に限るものではない。
【０１００】
以上のような画像出力システム、画像出力制御方法によれば、サイズオーバーの場合で、画像データ（ＲＩＰ）が構成する画像を出力サイズに収めるように算出された縮小率Ｚｔ１の方が縮小率Ｚｕより大きい場合には、算出された縮小率Ｚｔ１で縮小して出力し、縮小率Ｚｔ１の方が縮小率Ｚｕより小さい場合には、等倍で出力することや、縮小率Ｚｕで出力することや、出力を中止することや、或いは、縮小率Ｚｔ１で出力することができる。
【０１０１】
また、上述の画像出力制御方法を、ＤＣＰ制御装置６及びＤＣＰ７に適用することも可能である。
【０１０２】
［第２の実施の形態］
次に、本発明に係る第２の実施の形態について説明する。なお、以下には第１の実施の形態と実質的に同様の構成については、詳細な説明を省略し、主に異なる点について述べる。
【０１０３】
本実施の形態の特徴は、ＲＩＰ４で作成された画像データ（ＲＩＰ）が構成する画像の外周部の余白部を削除して、その余白部を削除した画像データ（ＲＩＰ）について、縮小率Ｚｔ１に対応するＺｔ２を求め、縮小率判定手段１１４は、縮小率Ｚｔ２と縮小率Ｚｕとを比較し、その比較結果に基づいて画像出力制御手段１２は、処理決定手段１２１で処理を決定する点にある。
【０１０４】
図１０は、本実施の形態に係る制御装置及びカラーレーザプリンタの機能ブロック図である。図１０に示すように、処理部１１は、第１の実施の形態の構成に加えて、監視手段１１１がホットフォルダ内に画像データ（ＲＩＰ）を発見したときに、画像データ（ＲＩＰ）が構成する画像の外周の余白を削除するように画像データ（ＲＩＰ）を加工し、画像データ（ＲＩＰ）Ｓを作成する余白部削除手段１１５（画像加工手段）を含んで構成される。
【０１０５】
また、サイズ判定手段１１２は、余白部削除手段１１５により加工され作成された画像データ（ＲＩＰ）Ｓの画像のサイズを算出し、算出した画像のサイズと出力サイズ記憶部１０２に記憶されたカラーレーザプリンタ２の出力サイズとを比較し、算出した画像のサイズがサイズオーバーするか否か判定する。
【０１０６】
また、縮小率算出手段１１３は、サイズ判定手段１１２が画像データ（ＲＩＰ）Ｓについてサイズオーバーと判定した場合に、画像データ（ＲＩＰ）Ｓが構成する画像を出力サイズに収めるように縮小率Ｚｔ２を算出する。
【０１０７】
また、縮小率判定手段１１４は、許容縮小率設定記憶部１０３に保存された縮小率Ｚｕと縮小率算出手段１１３で画像データ（ＲＩＰ）Ｓが構成する画像について算出された縮小率Ｚｔ２とを比較し、縮小率Ｚｔ２と縮小率Ｚｕの大小を判定する。
【０１０８】
ここで、余白部削除手段１１５による余白削除方法の一例を説明する。画像データ（ＲＩＰ）のラスターデータを１ラインずつスキャンし、画像データ（ＲＩＰ）が構成する画像の外周の余白を構成するデータを削除する。ラスターデータは、「０」及び「１」の２値データで各画素を表している。例えば、図２に示すような画像を構成する画像データ（ＲＩＰ）を例に説明すると、ライン毎に、画像の左側からスキャンを開始し、初めの「０」（白データ）を余白の開始点と決め、更にスキャンし余白の終了点を探す。「１」を発見したら、その前の「０」を余白の終了点と判断するようにするが、この時、トンボを構成するデータか否かそのデータの周辺を構成するデータから判断し、トンボを構成するデータであると判断した場合にはその前の「０」を余白の終了点とせずに、さらに余白の終了点を探すようにしておく。このようにスキャンすれば外周の余白の上部の場合には、ラインが終了しても余白の終了点は発見できないので、その場合には、そのラインの全てのデータを余白と判断する。下部の余白も同様に判断される。一方、上部の余白と下部の余白との間では、上述のようにして初めの「０」（白データ）を余白の開始点と決め、更にスキャンし余白の終了点を探し、余白の終了点を発見したら、その終了点までのデータを、まず、そのラインにおける左側の余白と判断する。さらに、右側の余白の開始点を探し、「０」を発見したら右側の余白の開始点とし、さらにスキャンしてライン終了まで「０」が連続することを確認できたら、右側の余白の開始点の判断を確定し、その開始点からライン終了までを右側の余白と判断する。例えば、面付けした画像間に付した余白は、「０」が発見され右側の余白の開始点とされても、さらにスキャンすることにより、「１」が発見されるのでそのときにその前に右側の余白の開始点とした「０」を破棄して、次に発見される「０」を再度右側の余白の開始点とし、ライン終了まで「０」が連続することを確認し、確認されれば右側の余白と判断するようにして、右側及び左側の余白を判断する。そして、上述のように余白を判断し、余白を構成するデータを削除する。そして、削除を行った画像データ（ＲＩＰ）を、以下、画像データ（ＲＩＰ）Ｓとする。
【０１０９】
（画像出力制御方法）
次に、上述のような構成の画像出力システムにおける画像出力制御方法について、図５、及び、図１１〜図１３を参照しつつ説明する。図５は、クライアント端末３及びＲＩＰ４で行う画像データの処理を説明するためのフローチャートで、図１１〜図１３は、本実施の形態の制御装置１及びカラーレーザプリンタ２における処理を説明するための図である。
【０１１０】
第１の実施の形態と同様に制御手段１の出力サイズ記憶部１０２のカラーレーザプリンタ２の出力サイズ、及び、許容縮小率設定記憶部１０３の縮小率Ｚｕは、予め保存されているものとする。
【０１１１】
まず、クライアント端末３及びＲＩＰ４で行う処理は、図５に示すように第１の実施の形態と同様である。
【０１１２】
以下、図１１〜図１３を用いて、制御装置１及びカラーレーザプリンタ２にける画像出力制御方法の処理について説明する。
【０１１３】
図１１は、制御装置１及びカラーレーザプリンタ２における処理手順を示すフローチャートである。図１１によれば、まず、制御装置１は、画像データ（ＲＩＰ）を受信し画像データ記憶部１０１のホットフォルダに記憶する。監視手段１１１は、ホットフォルダを監視し、画像データ（ＲＩＰ）を発見すると（Ｓ３０１）、余白部削除手段１１５は、上述のように余白を削除するように画像データ（ＲＩＰ）を加工し、画像データ（ＲＩＰ）Ｓを作成する（Ｓ３０２）。
【０１１４】
次に、サイズ判定手段１１２は、画像データ（ＲＩＰ）Ｓのヘッダに記述された解像度と加工されたラスターデータから画像データが構成する画像のサイズを算出し、その画像のサイズと出力サイズ記憶部１０２に記憶されたカラーレーザプリンタ２の出力サイズとを比較し、サイズオーバーか否か判定する（Ｓ３０３）。
【０１１５】
例えば、ラスターデータの１ライン当たりのデータ数をＤ′、ライン数をＬ′、解像度をＲとすれば、
横方向の画像のサイズ＝Ｄ′／Ｒ、
縦方向の画像のサイズ＝Ｌ′／Ｒ、
として求めることができ、この算出した画像のサイズの縦横と出力サイズの縦横とをそれぞれ比較する。
【０１１６】
画像のサイズの縦及び横のどちらもがそれぞれ出力サイズの縦及び横と同じまたは小さい場合には、サイズ判定手段１１２は、サイズオーバーではないと判定し（Ｓ３０３、Ｎ）、画像出力制御手段１２は、処理決定手段１２１により、等倍出力〔処理（Ａ）〕により出力することを決定し、処理（Ａ）、すなわち、画像出力制御手段１２は、画像データ（ＲＩＰ）Ｓをカラーレーザプリンタ２で出力可能なフォーマットに変換し、画像を出力するようにカラーレーザプリンタ２を制御する（Ｓ３０７）。
【０１１７】
これによれば、例えば、Ａ３サイズの画像を面付けし外周部に余白を付したＡ３ワイドサイズ（３０７ｍｍ×４３０ｍｍ）の画像を構成する画像データ（ＲＩＰ）の場合に、余白の削除の加工がなされた画像データ（ＲＩＰ）ＳはＡ３サイズとなるので、面付けされたＡ３サイズの画像を等倍で１枚の記録用紙に出力することができる。
【０１１８】
一方、画像のサイズの縦または横のいずれか一方が出力サイズより大きい場合には、サイズ判定手段１１２はサイズオーバーと判定し（Ｓ３０３、Ｙ）、縮小率算出手段１１３は、例えば、算出した画像のサイズの縦及び横のそれぞれに対するカラーレーザプリンタ２の出力サイズの縦及び横の比率を算出し、どちらかの小さい方の比率を、画像を出力サイズに収めるための縮小率Ｚｔ２として求める（Ｓ３０４）。
【０１１９】
次に、縮小率判定手段１１４は、縮小率Ｚｔ２と縮小率Ｚｕとを比較し、縮小率Ｚｔ２と縮小率Ｚｕの大小を判定する。縮小率Ｚｔ２の方が大きいと判定した場合は（Ｓ３０５、Ｎ）、画像出力制御手段１２は、処理決定手段１２１により、縮小率Ｚｔ２での縮小出力〔処理（Ｄ２）〕により出力することを決定し、処理（Ｄ２）、すなわち、縮小手段１２２は、画像データ（ＲＩＰ）Ｓを縮小率Ｚｔ２で縮小する加工を行い、画像出力制御手段１２は、縮小の加工がなされた画像データ（ＲＩＰ）Ｓをカラーレーザプリンタ２で出力可能なフォーマットに変換し、画像を出力するようにカラーレーザプリンタ２を制御する（Ｓ３０８）。
【０１２０】
これによれば、縮小率Ｚｔ２は、余白を削除して求めたものであるから、第１の実施の形態の縮小率Ｚｔ１より大きくなる。したがって、出力される画像、つまり、余白が削除されているので面付けされた画像は大きく出力される。
【０１２１】
一方、縮小率判定手段１１４は、縮小率Ｚｔ２と縮小率Ｚｕとを比較し、縮小率Ｚｔ２の方が小さいと判定した場合は（Ｓ２０４、Ｙ）、画像出力制御手段１２は、処理決定手段１２１により、等倍出力〔処理（Ａ）〕、縮小率Ｚｕでの縮小出力〔処理（Ｂ）〕、出力の中止〔処理（Ｃ）〕、または、選択処理〔処理（Ｅ２）〕のいずれかを行うことを決定し（この場合、処理（Ａ）乃至処理（Ｅ２）のいずれを行うかは、予めプログラムされているものであり、プログラムに従って決定がなされる）、処理決定手段１２１による決定に基づいた制御を行う（Ｓ３０６）。
【０１２２】
ここで、出力サイズがＡ３サイズ（２９７ｍｍ×４２０ｍｍ）で、縮小率Ｚｕが７０％に設定され、図２に示したＡ１ワイドサイズ（６７０．２ｍｍ×９６７ｍｍ）の画像から外周部の余白（幅２５．４ｍｍ）を削除した６１９．４ｍｍ×９１６．２ｍｍの画像を構成する画像データについて出力する場合を例に具体的に説明する。
【０１２３】
サイズ判定手段１１２で、画像のサイズ（６１９．４ｍｍ×９１６．２ｍｍ）と出力サイズ（Ａ３サイズ）を比較すると、縦方向は２９７ｍｍ＜６１９．４ｍｍ、横方向は４２０ｍｍ＜９１６．２ｍｍなのでサイズオーバーと判定し、縮小率算出手段１１３は縮小率Ｚｔ２を求める。
縦方向の比率：２９７／６１９．４×１００＝４７．９％
縦方向の比率：４２０／９１６．２×１００＝４５．８％
であるから、小さい方の比率を縮小率Ｚｔ２とし、縮小率Ｚｔ２は、４５．８％と求まる。
【０１２４】
次に縮小率判定手段１１４は、縮小率Ｚｔ２と縮小率Ｚｕとを比較し、大小を判定する。
４５．８＜７０
なので、縮小率Ｚｔ２の方が小さいと判定する。
【０１２５】
ここで、プログラムに従い画像出力制御手段１２は、処理決定手段１２１が等倍出力〔処理（Ａ）〕を行うと決定した場合には、６１９．４ｍｍ×９１６．２ｍｍの画像を、カラーレーザプリンタ２からＡ３サイズの記録用紙に、図１２（ａ）に示すように外周部の余白が削除された画像の一部分を等倍で出力するように制御する。
【０１２６】
また、プログラムに従い画像出力制御手段１２は、処理決定手段１２１が縮小率Ｚｕでの縮小出力〔処理（Ｂ）〕を行うと決定した場合には、６１９．４ｍｍ×９１６．２ｍｍの画像を縮小率Ｚｕで７０％に縮小し、カラーレーザプリンタ２からＡ３サイズの記録用紙に、図１２（ｂ）に示すように７０％に縮小された外周部の余白が削除された画像の一部分を出力するように制御する。
【０１２７】
これによれば、処理（Ａ）及び処理（Ｂ）のいずれの場合も、余白を削除しているので、第１の実施の形態の場合に比べ、１枚の記録用紙の中に校正に用いる面付けされた画像の広い範囲を出力することができる。
【０１２８】
また、プログラムに従い画像出力制御手段１２は、処理決定手段１２１が出力の中止〔処理（Ｃ）〕を行うと決定した場合には、出力を中止するように制御する。
【０１２９】
また、プログラムに従い画像出力制御手段１２の処理決定手段１２１が選択処理〔処理（Ｅ２）〕を行うと決定する場合の手順の一例について、図１３に示すフローチャートを用いて説明する。
【０１３０】
まず、縮小率判定手段１１４は、縮小率Ｚｔ２と縮小率Ｚｕとを比較し、縮小率Ｚｔ２の方が小さいと判定すると、報知制御手段１５は、第１の実施の形態の説明と同様にモニタに表示する（Ｓ６０１）。
【０１３１】
そして、第１の実施の形態の説明と同様に出力選択画面１３２（図９）を用いて入力がなされると（Ｓ６０２）、例えば、等倍出力ボタン１３３がクリックされると、画像出力制御手段１２は、処理決定手段１２１で等倍出力〔処理（Ａ）〕を行うと決定し、６１９．４ｍｍ×９１６．２ｍｍの画像をＡ３サイズの記録用紙に、図１２（ａ）に示すように外周部の余白が削除された画像の一部分を等倍で出力するように制御する（Ｓ６０３）。
【０１３２】
また、縮小１ボタン１３４がクリックされると、画像出力制御手段１２は、処理決定手段１２１で縮小率Ｚｕでの縮小出力〔処理（Ｂ）〕を行うと決定し、６１９．４ｍｍ×９１６．２ｍｍの画像を縮小率Ｚｕで７０％に縮小し、Ａ３サイズの記録用紙に、図１２（ｂ）に示すように７０％に縮小された外周部の余白が削除された画像の一部分を出力するように制御する（Ｓ６０４）。
【０１３３】
また、縮小２ボタン１３５がクリックされると、画像出力制御手段１２は、処理決定手段１２１で縮小率Ｚｔ２での縮小出力〔処理（Ｄ２）〕を行うと決定し、６１９．４ｍｍ×９１６．２ｍｍの画像を縮小率Ｚｔ２で４５．８％に縮小し、Ａ３サイズの記録用紙に、図１２（ｃ）に示すように４５．８％に縮小された画像が出力するように制御する（Ｓ６０６）。
【０１３４】
また、出力中止１３６がクリックされると、画像出力制御手段１２は、処理決定手段１２１で出力の中止〔処理（Ｃ）〕を行うと決定し、出力を中止するように制御する（Ｓ６０５）。
【０１３５】
また、第１の実施の形態の説明と同様に、縮小率Ｚｔ２が縮小率Ｚｕより小さいと判定された場合の処理を予め選択して設定等しておき、縮小率Ｚｔ２が縮小率Ｚｕより小さいと判定された場合にその設定等に基づいて処理するようにしてもよい。
【０１３６】
以上のような画像出力システム、画像出力制御方法によれば、画像データ（ＲＩＰ）が構成する画像から余白を削除するように画像データ（ＲＩＰ）を加工するので、画像データ（ＲＩＰ）が構成する画像によっては、画像データ（ＲＩＰ）の大きさでは縮小されてしまう場合であっても、余白を削除することにより、面付けされた画像を等倍で出力することや、縮小率Ｚｔ２の方が小さいと判定された場合に行う出力においては、面付けされた画像の広い範囲を出力することができる。
【０１３７】
［第３の実施の形態］
次に、本発明に係る第３の実施の形態について説明する。なお、以下には第１及び第２の実施の形態と実質的に同様の構成については、詳細な説明を省略し、主に異なる点について述べる。
【０１３８】
本実施の形態の特徴は、画像データ（ＲＩＰ）が構成する画像が出力サイズに収まらない場合で、画像データ（ＲＩＰ）が構成する画像を出力サイズに収めるための縮小率Ｚｔ１の方が縮小率Ｚｕより小さい場合に、ＲＩＰ４で作成された画像データ（ＲＩＰ）が構成する画像の外周部の余白部を削除して、その余白部を削除した画像データ（ＲＩＰ）Ｓについて、縮小率Ｚｔ２を求め、縮小率判定手段１１４は、縮小率Ｚｔ２と縮小率Ｚｕとを比較し、その比較結果に基づいて画像出力制御手段１２は、処理決定手段１２１で処理を決定する点にある。
【０１３９】
図１４は、本実施の形態に係る制御装置及びカラーレーザプリンタの機能ブロック図である。図１４に示すように、処理部１１は、第１の実施の形態の構成に加えて、縮小率判定手段１１４が、縮小率Ｚｔ１と縮小率Ｚｕとを比較し、縮小率Ｚｔ１の方が縮小率Ｚｕより小さいと判定した場合に、画像データ（ＲＩＰ）が構成する画像の外周の余白を削除するように画像データ（ＲＩＰ）を加工し、画像データ（ＲＩＰ）Ｓを作成する余白部削除手段１１５を含んで構成される。
【０１４０】
また、サイズ判定手段１１２は、監視手段１１１がホットフォルダ内に画像データ（ＲＩＰ）を発見したときに、画像データ（ＲＩＰ）のラスターデータとヘッダに記述された解像度から画像のサイズを算出し、算出した画像のサイズと出力サイズ記憶部１０２に記憶されたカラーレーザプリンタ２の出力サイズとを比較し、算出した画像のサイズがサイズオーバー（第１のサイズオーバー）するか否か判定する第１のサイズ判定手段としての機能と、余白部削除手段１１５により加工され作成された画像データ（ＲＩＰ）Ｓの画像のサイズを算出し、算出した画像のサイズと出力サイズ記憶部１０２に記憶されたカラーレーザプリンタ２の出力サイズとを比較し、算出した画像のサイズがサイズオーバー（第２のサイズオーバー）するか否か判定する第２のサイズ判定手段としての機能とを備える。
【０１４１】
また、縮小率算出手段１１３は、サイズ判定手段１１２が第１のサイズオーバーと判定した場合に、画像データ（ＲＩＰ）が構成する画像を出力サイズに収めるように縮小率Ｚｔ１を算出する第１の縮小率算出手段としての機能と、サイズ判定手段１１２が第２のサイズオーバーと判定した場合に、画像データ（ＲＩＰ）Ｓが構成する画像を出力サイズに収めるように縮小率Ｚｔ２を算出する第２の縮小率算出手段としての機能とを備える。
【０１４２】
また、縮小率判定手段１１４は、許容縮小率設定記憶部１０３に保存された縮小率Ｚｕと縮小率算出手段１１３で算出された縮小率Ｚｔ１とを比較し、縮小率Ｚｔ１と縮小率Ｚｕの大小を判定する第１の縮小率判定手段としての機能と、許容縮小率設定記憶部１０３に保存された縮小率Ｚｕと縮小率算出手段１１３で算出された縮小率Ｚｔ２とを比較し、縮小率Ｚｔ２と縮小率Ｚｕの大小を判定する第２の縮小率判定手段としての機能とを備える。
【０１４３】
（画像出力制御方法）
次に、上述のような構成の画像出力システムにおける画像出力制御方法について、図５、及び、図１５を参照しつつ説明する。図５は、クライアント端末３及びＲＩＰ４で行う画像データの処理を説明するためのフローチャートで、図１５は、制御装置１及びカラーレーザプリンタ２における処理手順を示すフローチャートである。
【０１４４】
第１の実施の形態と同様に制御手段１の出力サイズ記憶部１０２のカラーレーザプリンタ２の出力サイズ、及び、許容縮小率設定記憶部１０３の縮小率Ｚｕ（第１の縮小率）は、予め保存されているものとする。
【０１４５】
まず、クライアント端末３及びＲＩＰ４で行う処理は、図５に示すように第１の実施の形態と同様である。
【０１４６】
以下、図１５を用いて、制御装置１及びカラーレーザプリンタ２にける画像出力制御方法の処理について説明する。
【０１４７】
図１５に示すＳ４０１乃至Ｓ４０４、Ｓ４０５及びＳ４０７は、それぞれ第１の実施の形態で用いた図６のＳ２０１乃至Ｓ２０４、Ｓ２０５及びＳ２０７で行う処理と同様に行う。ただし、Ｓ４０２で判定するサイズオーバーは、本発明の第１のサイズオーバーである。
【０１４８】
そして、縮小率判定手段１１４が、縮小率Ｚｔ１（第２の縮小率）と縮小率Ｚｕとを比較し、縮小率Ｚｔ１の方が縮小率Ｚｕより小さいと判定した場合は（Ｓ４０４、Ｙ）、余白部削除手段１１５は、第２の実施の形態の説明のように余白を削除するように画像データ（ＲＩＰ）を加工し、画像データ（ＲＩＰ）Ｓを作成する（Ｓ４０５）。
【０１４９】
そして、本実施の形態で更に行う処理Ｓ４０８乃至Ｓ４１３は、それぞれ第２の実施の形態で用いた図６のＳ３０３乃至Ｓ３０８で行う処理と同様に行う。ただし、Ｓ４０８で判定するサイズオーバーは、本発明の第２のサイズオーバーであり、Ｓ４０９で求める縮小率Ｚｔ２は、本発明の第３の縮小率である。
【０１５０】
これによれば、縮小率Ｚｔ１の方が縮小率Ｚｕより小さいと判定された場合であっても、例えば、縮小率Ｚｔ１の方が縮小率Ｚｕより僅かに小さく、余白を削除することにより縮小率Ｚｔ２の方が縮小率Ｚｕより大きく場合には、カラープルーフに使用可能な画像として、画像データ（ＲＩＰ）Ｓが構成する画像を縮小率Ｚｔ２で縮小して、１枚の記録用紙により出力することができる。また、１枚に収まらない場合には、面付けした画像の広い範囲を出力することができる。
【図面の簡単な説明】
【０１５１】
【図１】本発明に係る画像出力システムの一実施の形態の全体の構成を示すブロック図である。
【図２】図１に示すＲＩＰで生成する画像データを説明するための図である。
【図３】第１の実施の形態に係る制御装置とカラーレーザプリンタの制御構成の一例を示す機能ブロック図である。
【図４】制御装置のモニタに表示する画面の１例を示す図である。
【図５】本発明のＲＩＰで行う処理手順を示すフローチャートである。
【図６】第１の実施の形態に係る画像出力処理方法の処理手順を示すフローチャートである。
【図７】第１の実施の形態における出力の様子を説明するための図である。
【図８】第１の実施の形態に係る画像出力処理方法の処理手順を示すフローチャートである。
【図９】制御装置のモニタに表示する画面の１例を示す図である。
【図１０】第２の実施の形態に係る制御装置とカラーレーザプリンタの制御構成の一例を示す機能ブロック図である。
【図１１】第２の実施の形態に係る画像出力処理方法の処理手順を示すフローチャートである。
【図１２】第２の実施の形態における出力の様子を説明するための図である。
【図１３】第２の実施の形態に係る画像出力処理方法の処理手順を示すフローチャートである。
【図１４】第３の実施の形態に係る制御装置とカラーレーザプリンタの制御構成の一例を示す機能ブロック図である。
【図１５】第３の実施の形態に係る画像出力処理方法の処理手順を示すフローチャートである。
【図１６】従来の画像出力システムの全体の構成を示すブロック図である。
【符号の説明】
【０１５２】
１  制御装置
１０  記憶部
１０１  画像データ記憶部
１０２  出力サイズ記憶部
１０３  許容縮小率設定記憶部
１１  処理部
１１１  監視手段
１１２  サイズ判定手段
１１３  縮小率算出手段
１１４  縮小率判定手段
１１５  余白部削除手段
１２  画像出力制御手段
１２１  処理決定手段
１２２  縮小手段
１３  入力手段
１４  報知手段
１５  報知制御手段
２  カラーレーザプリンタ
２１  制御部
２２  給紙部
２３  画像出力部
２４  操作パネル
３  クライアント端末
４  ＲＩＰ
５  ＣＴＰ
６  ＤＣＰ制御手段
７  ＤＣＰ
【図１】
2005094639.tif 000003
【図２】
2005094639.tif 000004
【図３】
2005094639.tif 000005
【図４】
2005094639.tif 000006
【図５】
2005094639.tif 000007
【図６】
2005094639.tif 000008
【図７】
2005094639.tif 000009
【図８】
2005094639.tif 000010
【図９】
2005094639.tif 000011
【図１０】
2005094639.tif 000012
【図１１】
2005094639.tif 000013
【図１２】
2005094639.tif 000014
【図１３】
2005094639.tif 000015
【図１４】
2005094639.tif 000016
【図１５】
2005094639.tif 000017
【図１６】
2005094639.tif 000018